(57)【要約】  マシン−マシン（Ｍ２Ｍ）無線ワイドエリアネットワーク（ＷＡＮ）における無線通信を管理するための方法、システム、及びデバイスが説明される。Ｍ２Ｍ無線ＷＡＮの動作周波数帯域は、少なくとも第１の周波数チャネル及び第２の周波数チャネルに分割される。第１及び第２の周波数チャネルは、逆方向リンクでの通信のために使用される。第１の周波数チャネルに関して第１のライズオーバサーマル（ＲｏＴ）が設定される。第２の周波数チャネルに関して第２のＲｏＴが設定される。第２のＲｏＴスレショルドは、第１のＲｏＴスレショルドよりも低い。
2016508333.tif 000002
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２のチャネルは、逆方向リンクでの通信のために使用されることと、
前記第１の周波数チャネルに関する第１のライズオーバサーマル（ＲｏＴ）を設定することと、
前記第２の周波数チャネルに関する第２のＲｏＴスレショルドを設定することであって、前記第２のＲｏＴスレショルドは、前記第１のＲｏＴスレショルドよりも低いことと、を備える、方法。
【請求項２】
前記第１の周波数チャネルを用いて前記逆方向リンクで送信するために複数のＭ２Ｍデバイスからの１つ以上のＭ２Ｍデバイスの第１のグループを識別することと、
前記第２の周波数チャネルを用いて前記逆方向リンクで送信するために複数のＭ２Ｍデバイスからの１つ以上のＭ２Ｍデバイスの第２のグループを識別することと、をさらに備える請求項１に記載の方法。
【請求項３】
Ｍ２Ｍデバイスの前記第１のグループ及び第２のグループにチャネル割り当てメッセージをブロードキャストすることをさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項２に記載の方法。
【請求項４】
１つ以上のＭ２Ｍデバイスの前記第１のグループ及び第２のグループを識別することは、
前記複数のＭ２Ｍデバイスから、第１の地理上のエリア内に位置する１つ以上のＭ２Ｍデバイスを識別することと、
前記複数のＭ２Ｍデバイスから、第２の地理上のエリア内に位置する１つ以上のＭ２Ｍデバイスを識別することと、を備える請求項２に記載の方法。
【請求項５】
前記第１のＲｏＴスレショルドを有する前記第１の周波数チャネルに前記第１の地理上のエリア内に位置する前記１つ以上のＭ２Ｍデバイスを割り当てることと、
前記第２のＲｏＴスレショルドを有する前記第２の周波数チャネルに前記第２の地理上のエリア内に位置する前記１つ以上のＭ２Ｍデバイスを割り当てることと、をさらに備え、前記第２の地理上のエリアは、順方向リンクで前記Ｍ２Ｍデバイスと通信中のデバイスからの経路損失が前記第１の地理上のエリアよりも大きい請求項４に記載の方法。
【請求項６】
１つ以上のＭ２Ｍデバイスの前記第１のグループ及び第２のグループを識別することは、
前記複数のＭ２Ｍデバイスから、データレートスレショルドを満たすデータレートで前記逆方向リンクで以前に送信している１つ以上のＭ２Ｍデバイスを識別することと、
前記複数のＭ２Ｍデバイスから、前記データレートスレショルドを満たさないデータレートで前記逆方向リンクで以前に送信している１つ以上のＭ２Ｍデバイスを識別することと、を備える請求項２に記載の方法。
【請求項７】
前記データレートスレショルドを満たすデータレートで前記逆方向リンクで以前に送信している前記１つ以上のＭ２Ｍデバイスを、前記第１のＲｏＴスレショルドを有する前記第１の周波数チャネルに割り当てることと、
前記データレートスレショルドを満たさないデータレートで前記逆方向リンクで以前に送信している前記１つ以上のＭ２Ｍデバイスを、前記第２のＲｏＴスレショルドを有する前記第２の周波数チャネルに割り当てることと、をさらに備える請求項６に記載の方法。
【請求項８】
１つ以上のＭ２Ｍデバイスの前記第１のグループ及び第２のグループを識別することは、
前記複数のＭ２Ｍデバイスの前記Ｍ２Ｍデバイスのうちの１つ以上において受信された順方向リンクの強度を推定することを備える請求項２に記載の方法。
【請求項９】
１つ以上のＭ２Ｍデバイスの前記第１のグループを、前記第１のＲｏＴスレショルドを有する前記第１の周波数チャネルに割り当てることと、
１つ以上のＭ２Ｍデバイスの前記第２のグループを、前記第２のＲｏＴスレショルドを有する前記第２の周波数チャネルに割り当てることと、をさら備え、前記第２のグループにおいて受信された前記順方向リンクの前記推定される強度は、前記第１のグループにおいて受信された前記順方向リンクの前記推定される強度よりも低い請求項８に記載の方法。
【請求項１０】
前記第１又は第２の周波数チャネルに関する前記第１又は第２のＲｏＴスレショルドを調整すべきかどうかを決定することをさらに備える請求項１に記載の方法。
【請求項１１】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項１０に記載の方法。
【請求項１２】
前記第１の周波数チャネルを使用しているＭ２Ｍデバイスの前記数が減少していると決定した時点で前記第１の周波数チャネルの前記第１のＲｏＴスレショルドを動的に引き下げることをさらに備える請求項１１に記載の方法。
【請求項１３】
前記第１の周波数チャネルを使用しているＭ２Ｍデバイスの前記数が増加していると決定した時点で前記第１の周波数チャネルの前記第１のＲｏＴスレショルドを動的に引き上げることをさらに備える請求項１１に記載の方法。
【請求項１４】
前記第１及び第２の周波数チャネルを使用する前記逆方向リンクでの通信のために符号分割多元接続（ＣＤＭＡ）を実装することをさらに備える請求項１に記載の方法。
【請求項１５】
ＲｏＴスレショルドは、周波数チャネルの熱雑音を上回る前記周波数チャネル上の信号干渉の量を表す請求項１に記載の方法。
【請求項１６】
マシン−マシン（Ｍ２Ｍ）無線ワイドエリアネットワーク（ＷＡＮ）における無線通信のために構成された基地局であって、
プロセッサと、
前記プロセッサと電子的通信状態にあるメモリと、
前記メモリ内に格納された命令と、を備え、前記命令は、
前記Ｍ２Ｍ無線ＷＡＮの動作周波数帯域を少なくとも第１の周波数チャネル及び第２の周波数チャネルに分割するために前記プロセッサによって実行可能であり、前記第１及び第２の周波数チャネルは、逆方向リンクでの通信のために使用され、
前記第１の周波数チャネルに関して第１のライズオーバサーマル（ＲｏＴ）を設定するために前記プロセッサによって実行可能であり、
前記第２の周波数チャネルに関する第２のＲｏＴスレショルドを設定するために前記プロセッサによって実行可能であり、前記第２のＲｏＴスレショルドは、前記第１のＲｏＴスレショルドよりも低い、基地局。
【請求項１７】
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項１６に記載の基地局。
【請求項１８】
前記命令は、
前記第１又は第２の周波数チャネルに関して前記第１又は第２のＲｏＴスレショルドを調整すべきかどうかを決定するために前記プロセッサによってさらに実行可能である請求項１６に記載の基地局。
【請求項１９】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項１８に記載の基地局。
【請求項２０】
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能である請求項１９に記載の基地局。
【請求項２１】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項１９に記載の基地局。
【請求項２２】
前記命令は、
前記第１及び第２の周波数チャネルを使用する前記逆方向リンクでの通信のために符号分割多元接続（ＣＤＭＡ）を実装するために前記プロセッサによってさらに実行可能である請求項１６に記載の基地局。
【請求項２３】
ＲｏＴスレショルドは、周波数チャネルの熱雑音を上回る前記周波数チャネル上の信号干渉の量を表す請求項１６に記載の基地局。
【請求項２４】
マシン−マシン（Ｍ２Ｍ）無線ワイドエリアネットワーク（ＷＡＮ）における無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２のチャネルは、逆方向リンクでの通信のために使用される手段と、
前記第１の周波数チャネルに関する第１のライズオーバサーマル（ＲｏＴ）スレショルドを設定するための手段と、
前記第２の周波数チャネルに関する第２のＲｏＴスレショルドを設定するための手段であって、前記第２のＲｏＴスレショルドは、前記第１のＲｏＴスレショルドよりも低い手段と、を備える、装置。
【請求項２５】
Ｍ２Ｍデバイスの前記第１のグループ及び第２のグループにチャネル割り当てメッセージをブロードキャストするための手段をさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項２４に記載の装置。
【請求項２６】
前記第１又は第２の周波数チャネルに関する前記第１又は第２のＲｏＴスレショルドを調整すべきかどうかを決定するための手段をさらに備える請求項２４に記載の装置。
【請求項２７】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項２６に記載の装置。
【請求項２８】
前記第１の周波数チャネルを使用しているＭ２Ｍデバイスの前記数が減少していると決定した時点で前記第１の周波数チャネルの前記第１のＲｏＴスレショルドを動的に引き下げるための手段をさらに備える請求項２７に記載の装置。
【請求項２９】
前記第１の周波数チャネルを使用しているＭ２Ｍデバイスの前記数が増加していると決定した時点で前記第１の周波数チャネルの前記第１のＲｏＴスレショルドを動的に引き上げるための手段をさらに備える請求項２７に記載の装置。
【請求項３０】
マシン−マシン（Ｍ２Ｍ）無線ワイドエリアネットワーク（ＷＡＮ）における無線通信を管理するためのコンピュータプログラム製品であって、
前記Ｍ２Ｍ無線ＷＡＮの動作周波数帯域を少なくとも第１の周波数チャネル及び第２の周波数チャネルに分割するために前記プロセッサによって実行可能な命令であって、前記第１及び第２の周波数チャネルは、逆方向リンクでの通信のために使用される命令、
前記第１の周波数チャネルに関して第１のライズオーバサーマル（ＲｏＴ）を設定するために前記プロセッサによって実行可能な命令、及び
前記第２の周波数チャネルに関する第２のＲｏＴスレショルドを設定するために前記プロセッサによって実行可能な命令であって、前記第２のＲｏＴスレショルドは、前記第１のＲｏＴスレショルドよりも低い命令、を格納している非一時的なコンピュータによって読み取り可能な媒体を備える、コンピュータプログラム製品。
【請求項３１】
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項３０に記載のコンピュータプログラム製品。
【請求項３２】
前記命令は、
前記第１又は第２の周波数チャネルに関して前記第１又は第２のＲｏＴスレショルドを調整すべきかどうかを決定するために前記プロセッサによってさらに実行可能である請求項３０に記載のコンピュータプログラム製品。
【請求項３３】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項３２に記載のコンピュータプログラム製品。
【請求項３４】
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能である請求項３３に記載のコンピュータプログラム製品。
【請求項３５】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項３３に記載のコンピュータプログラム製品。
【請求項３６】
マシン−マシン（Ｍ２Ｍ）無線ワイドエリアネットワーク（ＷＡＮ）における逆方向リンクでの無線通信のための方法であって、
前記逆方向リンクでの通信のために使用すべき第１の周波数チャネル及び第２の周波数チャネルを識別することであって、前記第１の周波数チャネルは、第１のライズオーバサーマル（ＲｏＴ）スレショルドを備え、前記第２の周波数チャネルは、第２のＲｏＴスレショルドを備え、前記第２のＲｏＴスレショルドは、前記第１のＲｏＴスレショルドよりも低いことと、
前記第１の周波数チャネル又は前記第２の周波数チャネルを用いて前記逆方向リンクで通信することと、を備える、方法。
【請求項３７】
チャネル割り当てメッセージのブロードキャストを受信することであって、前記メッセージは、前記逆方向リンクでの通信のために前記第１の周波数チャネル又は前記第２の周波数チャネルのいずれを使用すべきかを示すことをさらに備える請求項３６に記載の方法。
【請求項３８】
前記逆方向リンクでの通信のために使用するために前記第１の周波数チャネル又は前記第２の周波数チャネルを選択することをさらに備える請求項３６に記載の方法。
【請求項３９】
前記第１又は第２の周波数チャネルを選択することは、
前記第１の周波数チャネルを用いて第１のデータレートでデータを送信することと、
前記第１のデータレートでの前記データの成功裏の送信を示す肯定応答（ＡＣＫ）メッセージの有無をモニタリングすることと、
前記ＡＣＫメッセージを受信できない時点で、前記第２の周波数チャネルを用いて第２のデータレートで前記データを再送信することであって、前記第２のデータレートは、前記第１のデータレートよりも低いことと、を備える請求項３８に記載の方法。
【請求項４０】
前記第１又は第２の周波数チャネルを選択することは、
基地局を起源とする順方向リンクの信号強度を推定することと、
前記順方向リンクの前記推定された信号強度に少なくとも部分的に基づいて前記第１の周波数チャネル又は前記第２の周波数チャネルを選択することと、を備える請求項３８に記載の方法。
【請求項４１】
前記第１又は第２の周波数チャネルを選択することは、
周波数チャネル容量メッセージを受信することであって、前記メッセージは、前記第１の周波数チャネル及び前記第２の周波数チャネルに関する利用可能な容量を示すことと、
前記メッセージによって示された各チャネルの前記利用可能な容量に少なくとも部分的に基づいて前記第１の周波数チャネル又は前記第２の周波数チャネルを選択することと、を備える請求項３８に記載の方法。
【発明の詳細な説明】
【背景技術】
【０００１】
［０００１］以下は、概して、無線通信に関するものであり、より具体的には、マシン−マシン（Ｍ２Ｍ）無線ワイドエリアネットワーク（ＷＡＮ）における通信に関するものである。様々なタイプの通信コンテンツ、例えば、音声、映像、パケットデータ、メッセージング、ブロードキャスト、センサデータ、トラッキングデータ、等、を提供することを目的として無線通信システムが広範囲にわたって配備されている。これらのシステムは、利用可能なシステムリソース（例えば、時間、周波数、及び電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００２】
［０００２］概して、無線多元接続通信システムは、複数のデバイスに関する通信を各々同時にサポートする幾つかの基地局を含むことができる。幾つかの例では、これらのデバイスは、データを収集し、このデータを基地局を介してエンドサーバに送信するように構成されたセンサ及び／又は計器であることができる。これらのセンサ及び／又は計器は、Ｍ２Ｍデバイスと呼ぶことができる。基地局は、順方向リンク及び逆方向リンクでＭ２Ｍデバイスと通信することができる。各基地局は、カバレッジ範囲を有し、それは、セルのカバレッジエリアと呼ぶことができる。Ｍ２Ｍデバイスは、逆方向リンクで基地局にデータを送信することができる。
【０００３】
［０００３］Ｍ２Ｍデバイスが逆方向リンクでデータを送信するときには、それは、逆方向リンクにおける全体的な干渉を増大させる。逆方向リンク送信は、性質上高速であるため、拡散係数は小さくなり、コーディング利得は低くなり、これらの送信を行うためにＭ２Ｍデバイスによって要求される電力は高くなる可能性がある。その結果生じる干渉は、逆方向リンクにおいて通信問題を発生させる可能性がある。その結果、許容可能な雑音及び干渉に関するスレショルドを設定することができる。これは、干渉が高くなりすぎてＭ２Ｍデバイスから受信された情報を復号できないようにすることなしに逆方向リンクに加えることができる干渉の量を表すことができる。しかしながら、伝統的なアプローチ法は、逆方向リンクの様々な周波数チャネルに関して単一のスレショルドを設定する。スレショルドが高すぎて設定された場合は、より大きい経路損失を有するＭ２Ｍデバイスは、逆方向リンクでの通信を有効に送信することができないことがある。スレショルドが低く設定された場合は、周波数チャネルの容量が低減される。
【発明の概要】
【０００４】
［０００４］説明される特徴は、概して、ネットワークの容量を犠牲にせずにＭ２Ｍ無線ＷＡＮにおいて通信するＭ２Ｍデバイスに関する該当するスレショルドを設定するための１つ以上の改良された方法、システム及びデバイスに関するものである。スレショルドは、周波数チャネル内に存在する熱雑音レベルよりも高く設定することができる。その結果、スレショルドは、ここでは、ライズオーバサーマル（ライズオーバサーマル）（ＲｏＴ）スレショルドと呼ぶことができる。一構成においては、基地局は、各周波数チャネルに関するＲｏＴスレショルドを設定することができる。これらの周波数チャネルのうちの少なくとも１つを低データレートランダムアクセスチャネルとして専用化することができる。低データレートランダムアクセスチャネルとして専用化された周波数チャネルは、その他の周波数チャネルに関して設定されたＲｏＴスレショルドと比較して低いＲｏＴスレショルドを有することができる。その結果、この周波数チャネルの容量は低いことができ、及び、より大きい経路損失を有するＭ２Ｍデバイス用に予約することができ、その理由は、それらは基地局からより離れて位置しているためである。しかしながら、その他の周波数チャネルは、より高いＲｏＴスレショルドを維持することができ、それは、これらのチャネルの容量を増大させる。
【０００５】
［０００５］マシン−マシン（Ｍ２Ｍ）無線ワイドエリアネットワーク（ＷＡＮ）における無線通信を管理するための方法、システム、及びデバイスが説明される。Ｍ２Ｍ無線ＷＡＮの動作周波数帯域は、少なくとも第１の周波数チャネル及び第２の周波数チャネルに分割される。第１及び第２の周波数チャネルは、逆方向リンクでの通信のために使用される。第１の周波数チャネルに関しては第１のライズオーバサーマル（ＲｏＴ）スレショルドが設定される。第２の周波数チャネルに関しては第２のＲｏＴスレショルドが設定される。第２のＲｏＴスレショルドは、第１のＲｏＴスレショルドよりも低い。
【０００６】
［０００６］一実施形態においては、複数のＭ２Ｍデバイスからの１つ以上のＭ２Ｍデバイスの第１のグループを識別することができる。１つ以上のＭ２Ｍデバイスの第１のグループは、第１の周波数チャネルを用いて逆方向リンクで送信するために使用することができる。さらに、第２の周波数チャネルを用いて逆方向リンクで送信するために複数のＭ２Ｍデバイスからの１つ以上のＭ２Ｍデバイスの第２のグループを識別することができる。
【０００７】
［０００７］Ｍ２Ｍデバイスの第１のグループ及び第２のグループにチャネル割り当てメッセージをブロードキャストすることができる。チャネル割り当てメッセージは、第１の周波数チャネルを用いて逆方向リンクで送信することを１つ以上のＭ２Ｍデバイスの第１のグループに知らせることができ、チャネル割り当てメッセージは、第２の周波数チャネルを用いて逆方向リンクで送信することを１つ以上のＭ２Ｍデバイスの第２のグループに知らせることができる。
【０００８】
［０００８］１つ以上のＭ２Ｍデバイスの第１のグループ及び第２のグループを識別することは、複数のＭ２Ｍデバイスから、第１の地理上のエリア内に位置する１つ以上のＭ２Ｍデバイスを識別することと、複数のＭ２Ｍデバイスから、第２の地理上のエリア内に位置する１つ以上のＭ２Ｍデバイスを識別することと、を含むことができる。第１の地理上のエリア内に位置する１つ以上のＭ２Ｍデバイスは、第１のＲｏＴスレショルドを有する第１の周波数チャネルに割り当てることができる。第２の地理上のエリア内に位置する１つ以上のＭ２Ｍデバイスは、第２のＲｏＴスレショルドを有する第２の周波数チャネルに割り当てることができる。第２の地理上のエリアは、デバイスが順方向リンクでＭ２Ｍデバイスと通信することによる経路損失が第１の地理上のエリアよりも大きい。
【０００９】
［０００９］一構成においては、１つ以上のＭ２Ｍデバイスの第１のグループ及び第２のグループは、複数のＭ２Ｍデバイスから、データレートスレショルドを満たすデータレートで逆方向リンクで以前に送信している１つ以上のＭ２Ｍデバイスを識別することを含むことができる。Ｍ２Ｍデバイスの第１及び第２のグループを識別することは、複数のＭ２Ｍデバイスから、データレートスレショルドを満たしていないデータレートで逆方向リンクで以前に送信している１つ以上のＭ２Ｍデバイスを識別することも含むことができる。
【００１０】
［００１０］データレートスレショルドを満たすデータレートで逆方向リンクで以前に送信している１つ以上のＭ２Ｍデバイスは、第１のＲｏＴスレショルドを有する第１の周波数チャネルに割り当てることができる。データレートスレショルドを満たしていないデータレートで逆方向リンクで以前に送信している１つ以上のＭ２Ｍデバイスは、第２のＲｏＴスレショルドを有する第２の周波数チャネルに割り当てることができる。
【００１１】
［００１１］一実施形態においては、１つ以上のＭ２Ｍデバイスの第１のグループ及び第２のグループを識別することは、複数のＭ２Ｍデバイスのうちの１つ以上のＭ２Ｍデバイスにおいて受信された順方向リンクの強度を推定することを含むことができる。１つ以上のＭ２Ｍデバイスの第１のグループは、第１のＲｏＴスレショルドを有する第１の周波数チャネルに割り当てることができ、１つ以上のＭ２Ｍデバイスの第２のグループは、第２のＲｏＴスレショルドを有する第２の周波数チャネルに割り当てることができる。第２のグループにおいて受信された順方向リンクの推定される強度は、第１のグループにおいて受信された順方向リンクの推定される強度よりも低いことができる。
【００１２】
［００１２］一実施形態においては、第１又は第２の周波数チャネルに関する第１又は第２のＲｏＴスレショルドを調整すべきかどうかに関する決定を行うことができる。第１又は第２のＲｏＴスレショルドを調整する決定は、逆方向リンクで通信するために第１又は第２の周波数チャネルを使用するＭ２Ｍデバイスの数の変化に少なくとも部分的に基づく。一構成においては、第１の周波数チャネルの第１のＲｏＴスレショルドは、第１の周波数チャネルを用いるＭ２Ｍデバイスの数が減少していると決定した時点で動的に引き下げることができる。第１の周波数チャネルの第１のＲｏＴスレショルドは、第１の周波数チャネルを用いるＭ２Ｍデバイスの数が増加していると決定した時点で動的に引き上げることができる。
【００１３】
［００１３］一構成においては、第１及び第２の周波数チャネルを用いた逆方向リンクでの通信のために符号分割多元接続（ＣＤＭＡ）を実装することができる。ＲｏＴスレショルドは、周波数チャネルの熱雑音を上回るその周波数チャネルにおける信号干渉の量を表すことができる。
【００１４】
［００１４］マシン−マシン（Ｍ２Ｍ）無線ワイドエリアネットワーク（ＷＡＮ）における無線通信のために構成された基地局も説明される。基地局は、プロセッサと、そのプロセッサと電子的通信状態にあるメモリと、を含むことができる。メモリには命令を格納することができる。命令は、Ｍ２Ｍ無線ＷＡＮの動作周波数帯域を少なくとも第１の周波数チャネル及び第２の周波数チャネルに分割するためにプロセッサによって実行可能である。第１及び第２の周波数チャネルは、逆方向リンクでの通信のために使用される。命令は、第１の周波数チャネルに関する第１のライズオーバサーマル（ＲｏＴ）スレショルドを設定し、及び第２の周波数チャネルに関する第２のＲｏＴスレショルドを設定するためにもプロセッサによって実行可能である。第２のＲｏＴスレショルドは、第１のＲｏＴスレショルドよりも低いことができる。
【００１５】
［００１５］マシン−マシン（Ｍ２Ｍ）無線ワイドエリアネットワーク（ＷＡＮ）における無線通信のために構成された装置も説明される。装置は、Ｍ２Ｍ無線ＷＡＮの動作周波数帯域を少なくとも第１の周波数チャネル及び第２の周波数チャネルに分割するための手段を含むことができる。第１及び第２の周波数チャネルは、逆方向リンクでの通信のために使用することができる。装置は、第１の周波数チャネルに関する第１のライズオーバサーマル（ＲｏＴ）スレショルドを設定するための手段と、第２の周波数チャネルに関する第２のＲｏＴスレショルドを設定するための手段と、も含むことができる。第２のＲｏＴスレショルドは、第１のＲｏＴスレショルドよりも低いことができる。
【００１６】
［００１６］マシン−マシン（Ｍ２Ｍ）無線ワイドエリアネットワーク（ＷＡＮ）における無線通信を管理するためのコンピュータプログラム製品も説明される。コンピュータプログラム製品は、Ｍ２Ｍ無線ＷＡＮの動作周波数帯域を少なくとも第１の周波数チャネル及び第２の周波数チャネルに分割するためにプロセッサによって実行可能である命令を格納する非一時的なコンピュータによって読み取り可能な媒体を含むことができる。第１及び第２の周波数チャネルは、逆方向リンクでの通信のために使用することができる。命令は、第１の周波数チャネルに関する第１のライズオーバサーマル（ＲｏＴ）スレショルドを設定し及び第２の周波数チャネルに関する第２のＲｏＴスレショルドを設定するためにもプロセッサによって実行可能である。第２のＲｏＴスレショルドは、第１のＲｏＴスレショルドよりも低いことができる。
【００１７】
［００１７］マシン−マシン（Ｍ２Ｍ）無線ワイドエリアネットワーク（ＷＡＮ）における逆方向リンクでの無線通信のための方法も説明される。逆方向リンクでの通信のために使用すべき第１の周波数チャネル及び第２の周波数チャネルを識別することができる。第１の周波数チャネルは、第１のライズオーバサーマル（ＲｏＴ）スレショルドを含むことができる。第２の周波数チャネルは、第２のＲｏＴスレッドを含むことができる。第２のＲｏＴスレショルドは、第１のＲｏＴスレショルドよりも低いことができる。通信は、第１の周波数チャネル又は第２の周波数チャネルを用いて逆方向リンクで生じることができる。
【００１８】
［００１８］一実施形態においては、チャネル割り当てメッセージのブロードキャストが受信される。メッセージは、逆方向リンクでの通信のために第１の周波数チャネル又は第２の周波数チャネルのいずれを使用すべきかを示すことができる。第１の周波数チャネル又は第２の周波数チャネルは、逆方向リンクでの通信のために使用するために選択することができる。第１又は第２の周波数チャネルを選択することは、第１の周波数チャネルを用いて第１のデータレートでデータを送信することと、第１のデータレートでのデータの成功裏の送信を示す肯定応答（ＡＣＫ）メッセージの有無をモニタリングすることと、ＡＣＫメッセージを受信できなかった時点で、第２の周波数チャネルを用いて第２のデータレートでデータを再送信することと、を含むことができる。第２のデータレートは、第１のデータレートよりも低いことができる。
【００１９】
［００１９］一実施形態においては、第１又は第２の周波数チャネルを選択することは、基地局を起源とする順方向リンクの信号強度を推定することと、順方向リンクの推定された信号強度に少なくとも部分的に基づいて第１の周波数チャネル又は第２の周波数チャネルを選択することと、を含むことができる。
【００２０】
「００２０」一構成においては、第１又は第２の周波数チャネルを選択することは、周波数チャネル容量メッセージを受信することを含むことができる。メッセージは、第１の周波数チャネル及び第２の周波数チャネルに関する利用可能な容量を示すことができる。第１の周波数チャネル又は第２の周波数チャネルは、メッセージによって示された各チャネルの利用可能な容量に少なくとも部分的に基づいて選択することができる。
【００２１】
［００２１］説明される方法及び装置の適用性のさらなる範囲が、以下の発明を実施するための形態、請求項、及び図面から明らかになるであろう。発明を実施するための形態の精神及び適用範囲内の様々な変更及び修正が当業者にとって明らかになるため、実施するための形態及び具体例は、例示することのみを目的とするものである。
【図面の簡単な説明】
【００２２】
［００２２］以下の図面を参照することによって本発明の性質及び利点に関するさらなる理解が実現されるであろう。添付される図において、同様のコンポーネント又は特徴は、同じ参照ラベルを有することができる。さらに、参照ラベル、ダッシュ記号及び同様のコンポーネントを区別する第２のラベルに従うことによって同じタイプの様々なコンポーネントを区別することができる。明細書において第１の参照ラベルのみが使用される場合は、説明は、第２の参照ラベルにかかわらず同じ第１の参照ラベルを有する同様のコンポーネントのうちのいずれか１つに適用可能である。
【図１】［００２３］無線通信システムのブロック図である。
【図２】［００２４］Ｍ２Ｍ通信を実装する無線ワイドエリアネットワーク（ＷＡＮ）を含む無線通信システムの例を示した図である。
【図３Ａ】［００２５］ページングシステムの一実施形態を例示したブロック図である。
【図３Ｂ】［００２６］無線通信システムの一実施形態を例示したブロック図である。
【図４Ａ】［００２７］様々な実施形態による順方向リンク通信を管理するためのデバイスを例示したブロック図である。
【図４Ｂ】［００２８］順方向リンク通信モジュールの一実施形態を例示したブロック図である。
【図５Ａ】［００２９］様々な実施形態による逆方向リンク通信を管理するためのデバイスを例示したブロック図である。
【図５Ｂ】［００３０］逆方向リンク通信モジュールの一実施形態を例示したブロック図である。
【図６】［００３１］様々な実施形態による順方向リンク通信を管理するためのデバイスを例示したブロック図である。
【図７】［００３２］様々な実施形態によりＭ２Ｍデバイスの電力を節約するためにＣＤＭＡ周波数チャネルに関するＲｏＴスレショルドを設定及び調整するために構成することができる通信システムのブロック図を示す。
【図８】［００３３］様々な実施形態による逆方向リンク通信を管理するためのデバイスを例示したブロック図である。
【図９】［００３４］様々な実施形態による電力の消費を管理するためのＭ２Ｍデバイスのブロック図を示す。
【図１０】［００３５］逆方向リンク通信のために使用するために利用可能な幾つかの周波数チャネルの一実施形態を例示したブロック図である。
【図１１】［００３６］１つ以上の周波数チャネルに関するＲｏＴスレショルドを好適に変更する一実施形態を例示したブロック図である。
【図１２】［００３７］本システム及び方法の様々な実施形態によるＭ２Ｍ無線ＷＡＮの一実施形態を例示したブロック図である。
【図１３】［００３８］様々なＲｏＴスレショルドを有する周波数チャネルを用いて逆方向リンク通信を管理することによってＭ２Ｍデバイスの電力を節約するための方法の一例を示したフローチャートである。
【図１４】［００３９］リザーブリンク通信による大きな経路損失を経験するデバイスに低いＲｏＴスレショルドを有するチャネルを割り当てることによってＭ２Ｍデバイスの電力を節約するための方法の一例を示したフローチャートである。
【図１５】［００４０］周波数チャネルのＲｏＴスレショルドを動的に変更することによってＭ２Ｍデバイスの電源を管理するための方法の一例を示したフローチャートである。
【図１６】［００４１］チャネルのＲｏＴスレショルドに基づいて使用すべき周波数チャネルを選択することによってＭ２Ｍデバイスの電力を管理するための方法の一例を示したフローチャートである。
【図１７】［００４２］逆方向リンクで送信するために使用されるデータレートに基づいて周波数チャネルのＲｏＴスレショルドに基づいて使用すべき周波数チャネルを選択することによってＭ２Ｍデバイスの電力を管理するための方法の一例を示したフローチャートである。
【発明を実施するための形態】
【００２３】
［００４３］一実施形態においては、ネットワークは、リンクバジェット（link budget）によって制限されることがある。リンクバジェットは、送信機（例えば、Ｍ２Ｍデバイス）から、通信媒体を通じて、受信機（例えば、基地局）までの利得及び損失に関する説明である。ネットワーク（例えば、Ｍ２Ｍ無線ＷＡＮ）のリンクバジェットが限られている場合は、複数のデバイスが逆方向リンクで送信するために同じ周波数チャネルにアクセスするのを可能にするために符号分割多元接続（ＣＤＭＡ）を使用することは、その結果として、チャネルの動作ＲｏＴが逆方向リンクのリンクバジェットに対して悪影響を及ぼすことになるおそれがある。しかしながら、ネットワークのカバレッジに対するＲｏＴの影響を最小にするためにネットワークが低ＲｏＴで動作される場合は、逆方向リンクの容量が劇的に低減することがある。一実施形態においては、ネットワークのリンクバジェットは、ネットワーク内のデバイス（例えば、Ｍ２Ｍデバイス）の限られた電力及び／又はより大きいセルサイズに起因して限定されることがある。
【００２４】
［００４４］本システム及び方法は、ネットワークの容量を犠牲にすることなしに、Ｍ２Ｍ無線ＷＡＮにおいて通信中のＭ２Ｍデバイスによって使用される周波数チャネルに関する該当するＲｏＴスレショルドを設定することに関して説明される。一構成においては、基地局は、ネットワークの動作周波数帯域を複数の逆方向リンク周波数チャネルに分割することができる。基地局は、各周波数チャネルに関するＲｏＴスレショルドを設定することもできる。これらの周波数チャネルのうちの少なくとも１つは、相対的に低いＲｏＴを維持することができ、及び、低データレートランダムアクセスチャネルとして使用することができる。例えば、このチャネルに関するＲｏＴスレショルドは、１ｄＢ以下であることができる。この周波数チャネルは、逆方向リンクで低いデータレートで送信するＭ２Ｍデバイスにとってもリンクバジェット的にやさしくなることができる。ＲｏＴスレショルドは、動的に変更することができ、基地局は、使用するようにＭ２Ｍデバイスに命令することができる。Ｍ２Ｍデバイスは、基地局から受信された信号の強度に基づいていずれの周波数チャネルを使用すべきかを決定することもできる。
【００２５】
［００４５］以下の説明は、例を提供するものであり、請求項において示される範囲、適用性、又は構成を限定するものではない。本開示の精神及び範囲から逸脱することなしに説明される要素の働き及び編成の変更を行うことができる。様々な実施形態は、様々な手順又はコンポーネントを適宜省略すること、差し替えること、又は追加することができる。例えば、説明される方法は、説明される順序と異なるそれで実行することができ、及び、様々なステップを追加すること、省略すること、又は組み合わせることができる。さらに、幾つかの実施形態に関して説明される特徴は、その他の実施形態において結合することができる。
【００２６】
［００４６］最初に図１を参照し、ブロック図は、無線通信システム１００の例を示す。システム１００は、基地局１０５（又はセル）と、マシン−マシン（Ｍ２Ｍ）デバイス１１５と、基地局コントローラ１２０と、コアネットワーク１３０と、を含む（コントローラ１２０は、コアネットワーク１３０内に組み入れることができる）。システム１００は、複数の搬送波（異なる周波数の波形信号）での動作をサポートすることができる。
【００２７】
［００４７］基地局１０５は、基地局アンテナ（示されていない）を介してＭ２Ｍデバイス１１５と無線通信することができる。基地局１０５は、複数の搬送波を介して基地局コントローラ１２０の制御下でＭ２Ｍデバイス１１５と通信することができる。基地局１０５の所在地の各々は、各々の地理上のエリアに関する通信カバレッジを提供することができる。ここにおける各基地局１０５に関するカバレッジエリアは、１１０−ａ、１１０−ｂ、又は１１０−ｃとして識別される。基地局に関するカバレッジエリアは、セクタに分割することができる（示されていないが、カバレッジエリアの一部分のみを構成する）。システム１００は、異なるタイプの基地局１０５（例えば、マクロ基地局、ピコ基地局及び／又はフェムト基地局）を含むことができる。マクロ基地局は、相対的に大きい地理上のエリア（例えば、半径３５ｋｍ）に関する通信カバレッジを提供することができる。ピコ基地局は、相対的に小さい地理上のエリア（例えば、半径１０ｋｍ）に関するカバレッジを提供することができ、フェムト基地局は、相対的にそれよりも小さい地理上のエリア（例えば、半径１ｋｍ）に関する通信カバレッジを提供することができる。異なる技術に関して重なり合ったカバレッジエリアが存在することができる。
【００２８】
［００４８］Ｍ２Ｍデバイス１１５は、カバレッジエリア１１０全体にわたって分散することができる。各Ｍ２Ｍデバイス１１５は、静止型又は移動型であることができる。一構成においては、Ｍ２Ｍデバイス１１５は、異なるタイプの基地局、例えば、限定することなしに、マクロ基地局、ピコ基地局、及びフェムト基地局、と通信することができる。Ｍ２Ｍデバイス１１５は、その他のデバイス、環境条件、等をモニタリング及び／又は追跡するセンサ及び／又は計器であることができる。Ｍ２Ｍデバイス１１５によって収集された情報は、基地局１０５を含むネットワークを通じてバックエンドシステム、例えば、サーバ、に送信することができる。Ｍ２Ｍデバイス１１５への／からのデータの送信は、基地局１０５を通じてルーティングすることができる。基地局１０５は、順方向リンクでＭ２Ｍデバイスと通信することができる。一構成においては、基地局１０５は、データ及び／又はメッセージをＭ２Ｍデバイス１１５に搬送するためのチャネルを含む幾つかのタイムスロットを有する順方向リンクフレームを生成することができる。一例では、各順方向リンクフレームは、３つ以下のタイムスロット及び１つ以上の対応するチャネルを含むことができる。これらのスロット及びチャネルは、ページングチャネルを有するページングスロットと、ＡＣＫチャネルを有するＡＣＫスロットと、トラフィックチャネルを有するトラフィックスロットと、を含むことができる。個々の順方向リンクフレームの長さは、短いことができる（例えば、２０ミリ秒（ｍｓ））。一実施形態においては、４つのフレームを接合して８０ｍｓの継続時間を有するより大きいフレームを形成することができる。より大きいフレームに含まれる各フレームは、３つ以下のスロット及びチャネル、例えば、ページングチャネルに関するページングスロット、ＡＣＫチャネルに関するＡＣＫスロット、及びトラフィックチャネルに関するトラフィックスロット、を含むことができる。各フレームのページング及びＡＣＫスロットは、各々、５ｍｓの長さを有することができ、各フレームのトラフィックスロットは、１０ｍｓの長さを有することができる。Ｍ２Ｍデバイス１１５は、そのＭ２Ｍデバイス１１５を対象とするチャネル上のデータ及び／又はメッセージを含む（より大きいフレーム内の）個々のフレーム中にウェイクアップすることができる。
【００２９】
［００４９］一構成においては、Ｍ２Ｍデバイス１１５は、フレームのアップリンクスロット中に基地局１０５にデータを送信することができる。アップリンクスロットの長さは、２０ｍｓであることができる。Ｍ２Ｍデバイス１１５は、周波数チャネルを用いてデータパケットを送信することができる。周波数チャネルは、基地局１０５との通信のために使用される動作帯域の周波数の一部分を網羅することができる。周波数チャネルは、基地局１０５によって設定された特定のＲｏＴスレショルドを含むことができる。Ｍ２Ｍデバイス１１５は、周波数チャネルのＲｏＴスレショルドに部分的に基づいて逆方向リンクでデータパケットを搬送するためにその周波数チャネルを使用することができる。Ｍ２Ｍデバイス１１５は、基地局から受信された通信のための十分な強度が順方向リンクにおいて存在する場合は高いＲｏＴスレショルドを有する周波数チャネルを使用することができる。高いＲｏＴスレショルドは、より多くのＭ２Ｍデバイス１１５がそのチャネルを使用するのを可能にし、及び高いデータレートでの送信を可能にすることができる。Ｍ２Ｍデバイス１１５は、順方向リンクにおいて弱い信号が存在する場合は、低いＲｏＴスレショルドを有する周波数チャネルを使用することができる。低いＲｏＴスレショルドは、このチャネルの容量を低減させることができ、送信は、低データレートでこのチャネルで送ることができる。
【００３０】
［００５０］一実施形態においては、Ｍ２Ｍデバイス１１５は、その他のデバイス内に組み入れることができ、又は、Ｍ２Ｍデバイス１１５は、独立型デバイスであることができる。例えば、デバイス、例えば、携帯電話、無線通信デバイス、パーソナルデジタルアシスタント（ＰＤＡ）、その他のハンドヘルドデバイス、ネットブック、ノートブックコンピュータ、監視カメラ、ハンドヘルド医療用走査機器、家庭用品、等は、１つ以上のＭ２Ｍデバイス１１５を含むことができる。
【００３１】
［００５１］一例では、ネットワークコントローラ１２０は、一組の基地局に結合することができ及びこれらの基地局１０５に関する調整及び制御を提供することができる。コントローラ１２０は、バックホール（例えば、コアネットワーク１２５）を介して基地局１０５と通信することができる。基地局１０５は、互いに直接又は間接的に及び／又は無線又は有線のバックホールを介して通信することもできる。
【００３２】
［００５２］図２は、一態様によりＭ２Ｍサービスを実装する無線ワイドエリアネットワーク（ＷＡＮ）２０５を含む無線通信システム２００の例を示す。システム２００は、幾つかのＭ２Ｍデバイス１１５−ａと、Ｍ２Ｍサーバ２１０と、を含むことができる。サーバ２１０とＭ２Ｍデバイス１１５との間の通信は、基地局１０５を通じてルーティングすることができ、それは、ＷＡＮ２０５の一部であるとみなすことができる。基地局１１５−ａは、図１において示される基地局の一例であることができる。Ｍ２Ｍデバイス１１５−ａは、図１において示されるＭ２Ｍデバイス１１５の例であることができる。図２において示されるＭ２Ｍデバイス１１５−ａ、ＷＡＮ２０５、及びＭ２Ｍサーバ２１０の数は、例示することのみが目的であり、制限するものであると解釈されるべきでないことを当業者は理解するであろう。
【００３３】
［００５３］無線通信システム２００は、Ｍ２Ｍ通信を容易にするために動作可能である。Ｍ２Ｍ通信は、人間が介在しない１つ以上のデバイス間での通信を含むことができる。一例では、Ｍ２Ｍ通信は、ユーザが介在しない状態での、遠隔機械、例えば、Ｍ２Ｍデバイス１１５−ａと、バックエンドＩＴインフラストラクチャ、例えば、Ｍ２Ｍサーバ２１０、との間での自動化されたデータのやり取りを含むことができる。ＷＡＮ２０５（例えば、基地局１０５−ａ）を介してのＭ２Ｍデバイス１１５−ａからＭ２Ｍサーバ２１０へのデータの転送は、逆方向リンク通信を用いて行うことができる。Ｍ２Ｍデバイス１１５−ａによって収集されたデータ（例えば、モニタリングデータ、センサデータ、計器データ、等）は、逆方向リンク通信でＭ２Ｍサーバ２１０に転送することができる。
【００３４】
［００５４］基地局１０５−ａを介してのＭ２Ｍサーバ２１０からＭ２Ｍデバイス１１５−ａへのデータの転送は、順方向リンク通信を介して行うことができる。順方向リンクは、命令、ソフトウェアアップデート、及び／又はメッセージをＭ２Ｍデバイス１１５−ａに送信するために使用することができる。命令は、Ｍ２Ｍデバイス１１５−ａが装置、環境条件、等をモニタリングするように命令することができる。Ｍ２Ｍ通信は、様々な用途ともに使用することができ、例えば、遠隔モニタリング、測定及び状態の記録、フリート（ｆｌｅｅｔ）管理、資産追跡、現場でのデータ収集、流通、及び保管、等であるが、これらに限定されない。基地局１０５−ａは、命令、ソフトウェアアップデート、及び／又はメッセージを送信するためのチャネルを有する少数のタイムスロットを有する１つ以上の順方向リンクフレームを生成することができる。特定のフレームのタイムスロット中に命令又はその他のデータがチャネルに含まれているときには、様々なＭ２Ｍデバイス１１５−ａがそのフレームのタイムスロット中にウェイクアップすることができる。デバイス１１５−ａは、フレームのページングスロット中にページングメッセージを復号することによって命令又はその他のデータを入手可能であることに気付くことができる。ページングサイクルは、基地局１０５−ａがどのような頻度でページングメッセージをＭ２Ｍデバイス１１５−ａに送信すべきであるかを示すことができる。デバイス１１５−ａは、ページングサイクルに従ってページングメッセージの有無に関してページングスロットをモニタリングするためにウェイクアップすることができる。ページングメッセージは、異なるデータレートで送信することができ、Ｍ２Ｍデバイス１１５−ａの信号強度に依存する。
【００３５】
［００５５］一構成においては、異なるアドレッシング形式を使用する異なる無線アクセスネットワークにおいては異なるタイプのＭ２Ｍ通信を提案することができる。異なるアドレッシング形式は、異なるタイプのＭ２Ｍデバイス１１５−ａが異なるサービスのために使用されることに結び付くことができる。一態様においては、Ｍ２Ｍデバイス１１５−ａがＭ２Ｍサーバ２１０と通信するために使用されるＷＡＮ技術から独立した状態を維持することができるＭ２Ｍネットワークを実装することができる。該態様においては、Ｍ２Ｍデバイス１１５−ａ及びＭ２Ｍサーバ２１０は、使用されるＷＡＮ技術から独立させることができる。その結果、既にインストールされているＭ２Ｍデバイス１１５−ａに影響を与えずに、バックホール通信のために使用されるＷＡＮ技術の代わりに異なるＷＡＮ技術を使用することができる。例えば、Ｍ２Ｍサーバ２１０及びＭ２Ｍデバイス１１５−ａは、ＷＡＮ技術によって使用されるアドレッシング形式にかかわらず互いに通信することができ、その理由は、Ｍ２Ｍデバイス１１５−ａによって使用されるアドレッシング形式は、実装されたＷＡＮ技術によって使用されるアドレッシングと結び付けることができないためである。
【００３６】
［００５６］一実施形態においては、Ｍ２Ｍデバイス１１５−ａの行動を予め定義することができる。例えば、他のデバイスをモニタリングして収集された情報を送信するための日時、等をＭ２Ｍデバイス１１５−ａに関して予め定義することができる。例えば、Ｍ２Ｍデバイス１１５−ａ−１は、第１の予め定義された期間に他のデバイスをモニタリングして他のデバイスに関する情報を収集するのを開始するようにプログラミングすることができる。デバイス１１５−ａ−１は、第２の予め定義された期間に収集された情報を送信するようにプログラミングすることもできる。Ｍ２Ｍデバイス１１５−ａの行動は、遠隔でプログラミングすることができる。
【００３７】
［００５７］図３Ａは、基地局１０５−ｂとＭ２Ｍデバイス１１５−ｂとを含むページングシステム３００の一実施形態を例示したブロック図である。基地局１０５−ｂは、図１又は２の基地局１０５の一例であることができる。Ｍ２Ｍデバイス１１５−ｂは、図１又は２のＭ２Ｍデバイスの一例であることができる。
【００３８】
［００５８］無線通信システム、例えば、図１又は２のシステム、においては、スリープ状態及びページングの概念は、バッテリ電力及びエアリンクリソースの点で効率的な形で大量のデバイス（例えば、Ｍ２Ｍデバイス１１５）へのネットワーク接続性を提供する上で重要である。スリープ状態は、デバイスの送信／受信回路の全体又は一部分を遮断することによってバッテリ電力消費量を最少にするための動作モードをＭ２Ｍデバイス１１５−ｂに提供することができる。さらに、スリープ状態のＭ２Ｍデバイス１１５には専用のエアリンクリソースが割り当てられず、従って、非常に多数のＭ２Ｍデバイスを同時にサポートすることができる。Ｍ２Ｍデバイス１１５−ｂがトラフィック活動を有さない時間的間隔中には、デバイス１１５−ｂは、リソースを節約するためにスリープ状態にとどまることができる。
【００３９】
［００５９］ページングは、Ｍ２Ｍデバイス１１５−ｂがスリープ状態から定期的にウェイクアップすることと、順方向リンク通信（例えば、基地局１０５ｂからＭ２Ｍデバイス１１５−ｂへの通信）においてページングメッセージ３０５を受信及び処理するためにＭ２Ｍデバイス１１５−ｂに動作させることと、を含むことができる。基地局１０５−ｂは、Ｍ２Ｍデバイス１１５−ｂがいつウェイクアップすべきかを知っていることができる。従って、基地局１０５−ｂがＭ２Ｍデバイス１１５−ｂに接触、すなわち、ページングすることを意図する場合は、基地局１０５−ｂは、Ｍ２Ｍデバイス１１５−ｂがウェイクアップしてページングチャネルをモニタリングするようにスケジューリングされている時間に順方向リンクフレームの１つ以上のページングスロットの全部又は一部中にページングチャネルでページングメッセージ３０５を送信することができる。しかしながら、基地局１０５−ｂは、Ｍ２Ｍ無線ＷＡＮにおける各Ｍ２Ｍデバイス１１５の信号強度を知っていることができない。その結果、基地局１０５−ｂは、第１のページングチャネルを用いて高データレートでページングメッセージを送信することができる。基地局１０５−ｂとデバイス１１５−ｂとの間の信号強度が低すぎるためＭ２Ｍデバイス１１５−ｂがページングメッセージ３０５を適切に復調することができない場合は、基地局１０５−ｂは、デバイス１１５−ｂにメッセージを送信するために使用されるデータレートを動的に変更することができる。さらに、基地局１０５は、ページングメッセージ３０５を送信する頻度を増大させることができ、デバイス１１５−ｂは、より低いデータレートで送信されたページングメッセージ３０５の有無に関してモニタリングするためにウェイクアップする頻度を増大させることができる。一構成においては、基地局１０５−ｂが、Ｍ２Ｍデバイス１１５−ｂがページングメッセージを受信済みであることを確認するページング応答３１０を受信しない場合は、基地局１０５−ｂは、より頻繁に及びより低いデータレートでページングスロット中に第２のページングチャネルを用いてページングメッセージ３０５を再送信することができる。基地局１０５−ｂは、Ｍ２Ｍデバイス１１５−ｂがページングメッセージ３０５を受信してページング応答３１０を送信するまで及び／又はページングメッセージ３０５のある一定の送信回数が発生するまでページングメッセージ３０５を再送信することができる。これらのイベントのうちの１つ又は両方が発生した場合は、基地局１０５−ｂ及びＭ２Ｍデバイス１１５−ｂは、前のページングサイクル下で動作する状態に戻ることができ、基地局１０５−ｂは、第１のページングチャネルを用いて高データレートでデバイス１５０−ｂにページングメッセージを送信する状態に戻ることができる。
【００４０】
［００６０］Ｍ２Ｍデバイス１１５−ｂの２つの連続するウェイクアップ期間の間の時間的間隔をページングサイクルと呼ぶことができる。Ｍ２Ｍデバイス１１５−ｂは、ページングサイクルのうちでＭ２Ｍデバイス１１５−ｂがページングメッセージ３０５の受信に関連する処理を行っていない部分中にはスリープ状態で動作することができる。スリープ状態の利益を最大化するために、ページングシステム３００は、ページングサイクルに関して大きい値を使用することができる。例えば、データシステムにおいて、ページングサイクルは、約５分であることができる。上記のように、基地局１０５−ｂが、ページングメッセージ３０５の成功裏の受信を示すページング応答３１０を受信しない場合は、基地局１０５−ｂは、ページング応答３１０が受信されるまでより小さいページングサイクルを用いてページングメッセージ３０５を再送信することができる。ページングメッセージ３０５の再送信は、同じチャネル又は異なるチャネルを用いて行うことができる。さらに、Ｍ２Ｍデバイス１１５−ｂは、ページングメッセージ３０５の有無に関してフレームのページングスロットをモニタリングするためにより定期的に（すなわち、より短いページングサイクルで）ウェイクアップすることができる。
【００４１】
［００６１］一実施形態においては、フレームのページングスロット中に使用されるページングチャネルは、幾つかのページングメッセージ３０５を搬送する上で十分な帯域幅を有することができる。一例においては、ページングチャネルは、最大量未満のページングメッセージ３０５を搬送することができる。基地局１０５−ｂは、ページングスロット中にページングチャネルの余分の未使用の帯域幅内にシステム情報を挿入することができる。システム情報は、基地局１０５−ｂから送信された信号のタイミングを取得するために幾つかのＭ２Ｍデバイス１１５−ｂによって使用することができる。システム情報を送信するためにページングチャネルを再度使用することは、該情報を搬送するための順方向リンクフレームの追加のタイムスロット中に追加のチャネルを設定する必要をなくす（それは、順方向リンクフレームの全長を長くすることができる）。その結果、Ｍ２Ｍデバイス１１５は、アウェイクモードにある時間を最短にすることによって電力を節約することができる。ページングチャネルを再度使用することによって、順方向リンクで送信されるフレームのタイムスロットを短くすることができ、Ｍ２Ｍデバイス１１５が可能なかぎり素早くスリープモードに戻るのを可能にする。
【００４２】
［００６２］ページングメッセージ３０５を受信した時点で、Ｍ２Ｍデバイス１１５−ｂは、ページングメッセージ３０５内で指定されたあらゆる動作を行うことができる。例えば、Ｍ２Ｍデバイス１１５−ｂは、単にページングメッセージ３０５を受信してスリープ状態に戻ることができる。代替として、Ｍ２Ｍデバイス１１５−ｂは、基地局１０５−ｂとアクティブなコネクションを確立するために基地局１０５−ｂにアクセスすることができる。
【００４３】
［００６３］図３Ｂは、無線通信システム３２０の一実施形態を例示したブロック図である。システム３２０は、基地局１０５−ｃと、Ｍ２Ｍデバイス１１５−ｃと、を含むことができる。基地局１０５ｃ及びＭ２Ｍデバイス１１５−ｃは、図１、２、又は３Ａの基地局及びＭ２Ｍデバイスの例であることができる。一構成においては、基地局１０５−ｃは、順方向リンク通信３２５のために使用される論理チャネルのための限られた数のタイムスロットを有する順方向リンクフレームを用いてＭ２Ｍデバイス１１５−ｃと通信することができる。Ｍ２Ｍデバイス１１５−ｃは、逆方向リンク通信３３０を用いて基地局１０５−ｃと通信することができる。上述されるように、順方向リンク通信及び逆方向リンク通信を用いて行われる通信は、Ｍ２Ｍ通信であることができる。これらの通信は、様々な形態をとることができ、主に、基地局１０５−ｃ及びＭ２Ｍデバイス１１５−ｃによって使用されるエアインタフェースプロトコルに依存する。
【００４４】
［００６４］基地局１０５−ｃは、１つ以上の搬送波周波数で通信するように編成することができ、典型的には、順方向リンク通信及び逆方向リンク通信をそれぞれ定義するために一対の周波数帯域を使用する。基地局１０５−ｃは、複数のセルセクタを画定するように配備された一組の指向性アンテナ素子を含むこともできる。所定の搬送波周波数における各セクタ内でのＭ２Ｍ通信は、セクタ専用コード、例えば、擬似ランダム雑音オフセット（“ＰＮオフセット”）を用いて所定のセクタ内の通信を変調することによってその他のセクタにおける通信と区別することができる。さらに、各セクタ内でのＭ２Ｍ通信は、制御チャネル及びトラフィックチャネルに分割することができ、それらの各々は、時分割多重（ＴＤＭ）を通じて定義することができる。
【００４５】
［００６５］一実施形態においては、信号は、フレームフォーマットで順方向リンク通信３２５及び逆方向リンク３３０で送信することができる。フレームフォーマット内では、情報は、通信リンク３２５、３３０を通じて通信される実際のペイロードデータによりパケット化及びフォーマット化することができる。一構成においては、順方向リンク通信３２５で送信されるフレームのフォーマットは、様々なチャネルのための様々なタイムスロットを含むことができる。一実施形態においては、フレームは、ページングチャネルのためのページングスロットと、ＡＣＫチャネルのためのＡＣＫスロットと、トラフィックチャネルのためのトラフィックスロットと、を含むことができる。上記のように、ページングメッセージ３０５及び／又はシステム情報は、ページングスロット中にＭ２Ｍデバイス１１５−ｃに対して（ページングサイクルに従って）ページングチャネルで送信することができる。ＡＣＫメッセージは、ＡＣＫタイムスロット中にＭ２Ｍデバイスに対してＡＣＫチャネルで送信することができる。これらのメッセージは、逆方向リンク送信が基地局１０５によって成功裏に受信、復号、及び／又は復調されたことを示すことができる。トラフィックデータは、トラフィックタイムスロット中にＭ２Ｍデバイス１１５−ｃに対してトラフィックチャネルで送信することができる。Ｍ２Ｍ通信において順方向リンク通信３２５で使用されるフレームは、短いデューティサイクルに基づくことができる。
【００４６】
［００６６］電力を節約することを目的として、Ｍ２Ｍデバイス１１５は、データ、ページングメッセージ３０５、等を受信するために特定の順方向リンクフレームの特定のタイムスロット中のみにウェイクアップすることができる。その結果、Ｍ２Ｍ通信におけるフレーム構造は、各々のＭ２Ｍデバイス１１５ごとにスロットを設ける（ｓｌｏｔｔｅｄ）ことができる。従って、各デバイス１１５は、それのデータを取り出すために必要である１つ以上のフレームの１つ以上のスロットのみ中にウェイクアップすることが要求されるだけである。トラフィックチャネルサイクルの開始時に、そのサイクル中にトラフィックデータを受信することを期待している各Ｍ２Ｍデバイス１１５に対してスロットマップをブロードキャストすることができる。スロットマップは、各Ｍ２Ｍデバイスが、各々のトラフィックデータがそのサイクル中にいつ順方向リンクで送信されるかを推定するのを可能にする情報を含むことができる。スロットマップ内の情報は、いつそれのデータが送信されるかを各デバイス１１５が識別するのを可能にするためにハッシュすることができる。スロットマップを受信後は、デバイス１１５は、スリープ状態に戻り、それらのデータが送信される１つ以上のトラフィックスロット中に再びアウェイクすることができる。
【００４７】
［００６７］一構成においては、通信リソースを節約することを目的として、Ｍ２Ｍデバイス１１５−ｃは、本システム及び方法により、スリープ状態に戻るために基地局１０５−ｃから送信されたメッセージのオポチュニスティック（ｏｐｐｏｒｔｕｎｉｓｔｉｃ）な復号を行うことができる。一実施形態においては、基地局１０５−ｃは、１つ以上の順方向リンクフレームを生成し、それらの１つ以上の順方向リンクフレームのうちの１つのチャネルを用いてメッセージの複数のコピーをＭ２Ｍデバイス１１５−ｃに送信することができる。メッセージの各コピーは、高データレートでサブチャネルで送信することができる。Ｍ２Ｍデバイス１１５−ｃは、メッセージを成功裏に復調するために必要な数だけのメッセージのコピーを読み取ることができる。一構成においては、Ｍ２Ｍデバイス１１５−ｃは、基地局１０５−ｃから送信されたパイロット信号からの受信された信号強度に基づいてメッセージを復号するために受信する必要があるメッセージのコピー数を推定することができる。メッセージを成功裏に復号した時点で、デバイス１１５−ｃは、物理層ＡＣＫメッセージを生成して基地局１０５−ｃに送り返す前にスリープ状態に戻ることができる。メッセージのさらなるコピーがサブチャネル内に残っている場合は、基地局１０５−ｃは、（Ｍ２Ｍデバイス１１５−ｃが既にスリープ状態に戻っている場合でも）それらのさらなるコピーを送信し続けることができる。一構成においては、デバイス１１５−ｃは、メッセージが復調されていることを示す物理層ＡＣＫメッセージを基地局に送信しないことによってバッテリ電力を節約することができる。
【００４８】
［００６８］一実施形態においては、Ｍ２Ｍデバイスの電力を節約することを目的として、逆方向リンク通信３３０の動作帯域を複数の逆方向リンク周波数チャネルに分割することができ、複数のＭ２Ｍデバイス１１５に関して逆方向リンク通信を多重化するためにＣＤＭＡ技法を使用することができる。一例においては、各逆方向リンク周波数チャネルは、それ自体のＲＯＴ動作ポイントを有することができる。少なくとも１つの周波数チャネルを、低データレートランダムアクセスチャネルとして専用化することができ、低ＲｏＴを有する。逆方向リンク通信３３０の動作帯域を分割することは、逆方向リンク通信に関して低いＲｏＴ動作ターゲット（例えば、１デシベル（ｄＢ）以下）を有する少なくとも１つの周波数チャネルを提供することができる。このチャネルは、基地局との間で強い信号強度を有さないＭ２Ｍデバイスによって使用することができる。さらに、低いＲｏＴは、大きい経路損失を有する位置に存在するデバイスに関するリンクバジェット要求を低減させることができる。基地局との間で強い信号強度を有するＭ２Ｍデバイスは、より高いＲｏＴ動作ポイントを有する周波数チャネルを使用することができる。これらのチャネルは、高いデータレートで送信するＭ２Ｍデバイスのより大きい容量を可能にする。
【００４９】
［００６９］一例では、Ｍ２Ｍデバイス１１５−ｃの電力効率をさらに向上させるために、逆方向リンク通信３３０に関して狭帯域周波数分割多元接続（ＦＤＭＡ）技法を使用することができる。この技法は、逆方向リンク通信３３０の動作帯域を幾つかの狭帯域周波数チャネルに分割することを含むことができる。基地局１０５−ｃは、各狭帯域チャネルの状態及び割り当てを各Ｍ２Ｍデバイス１１５にブロードキャストすることができる。状態は、“ビジー”又は“アイドル”であることができる。一実施形態においては、Ｍ２Ｍデバイス１１５−ｃは、狭帯域周波数チャネルがデバイス１１５−ｃに割り当てられた場合のみにデータを送信することができる。信号対干渉・雑音比（ＳＩＮＲ）分布を利用するために及び逆方向リンク通信３３０において複数のデータレートをサポートするために逆方向リンク通信３３０の早期終了（上述）を狭帯域ＦＤＭＡ技法内に組み入れることができる。逆方向リンクでの早期終了は、周波数チャネルの状態がビジー状態からアイドル状態に移行するときに生じることができる。状態がアイドルに移行していることを検出した時点で、Ｍ２Ｍデバイスは、逆方向リンクでの送信を終了させることができる。
【００５０】
［００７０］一実施形態においては、前記のように、逆方向リンク通信３３０は、Ｍ２Ｍデバイス１１５−ｃのバッテリ電力及びＭ２Ｍデバイス１１５−ｃと基地局１０５−ｃとの間のエアインタフェースリソースを節約するために早期に終了させることができる。チャネルの状態の変化を通じて逆方向リンク送信を早期に終了させることに加えて、順方向リンクフレームは、ＡＣＫメッセージを送信することができるタイムスロットを含むことができる。基地局１０５−ｃは、逆方向リンク通信３３０を用いてＭ２Ｍデバイス１１５−ｃから送信された逆方向リンク物理層パケットの受信に関して肯定応答するＡＣＫメッセージを搬送するためにチャネルを使用することができる。一構成においては、順方向リンクフレームの状態が好ましいようにみえるときにはより多くの数のＡＣＫメッセージをＡＣＫパケットで送信することができる。これは、基地局によって成功裏に復号されるまでＭ２Ｍデバイスが逆方向リンク通信３３０で送信しなければならないパケットのコピー数を識別することを含むことができる。同様に、順方向リンクフレームの状態が同じように好ましいようにみえないときにはより少ない数のＡＣＫメッセージをＡＣＫパケットで送信することができる。パケット内のＡＣＫメッセージの数を増減させることは、ＡＣＫメッセージをＭ２Ｍデバイスに送信するために使用されるデータレートを効果的に変化させる。その結果、すべてのＡＣＫメッセージを最低のデータレートで送信するのではなく、幾つかのＡＣＫメッセージはより高いデータレートで送信することができる。ＡＣＫ（すなわち、ＡＣＫメッセージ）がより高いデータレートでＭ２Ｍデバイス１１５−ｃに送信されるときには、デバイス１１５−ｃは、ＡＣＫをより素早く受信して復号することができ、それにより、順方向リンクＡＣＫスループットを増大させ、ＡＣＫが低データレートを用いて送信された場合よりも早期に逆方向リンク通信３３０を終了させることができる。
【００５１】
［００７１］次に図４Ａを参照し、ブロック図は、様々な実施形態による順方向リンク通信を管理するためのデバイス４００を例示する。デバイス４００は、図１、２、３Ａ、及び／又は３Ｂを参照して説明される基地局１０５の１つ以上の態様の例であることができる。デバイス４００は、プロセッサであることもできる。デバイス４００は、受信機モジュール４０５、順方向リンク通信モジュール４１０、及び／又は送信機モジュール４１５を含むことができる。これらのコンポーネントの各々は、互いに通信状態にあることができる。
【００５２】
［００７２］デバイス４００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００５３】
［００７３］受信機モジュール４０５は、情報、例えば、パケット、データ、及び／又はデバイス４００が受信又は送信しているものに関するシグナリング情報、を受信することができる。受信された情報は、様々な目的のために順方向リンク通信モジュール４１０によって利用することができる。
【００５４】
［００７４］受信機モジュール４０５は、逆方向リンク通信３３０を用いてＭ２Ｍデバイス１１５から送信された逆方向リンク物理層パケットを受信するように構成することができる。受信機モジュール４０５は、Ｍ２Ｍデバイス１１５に通信するためにバックエンドサーバから命令、一組の動作、メッセージ、等を受信するように構成することもできる。順方向リンク通信モジュール４１０は、１つ以上の順方向リンクフレームを生成することができる。それらのフレームは、論理チャネルのために使用される最小限のタイムスロットを含む短いデューティサイクルフレームであることができる。順方向リンクフレームは、複数のＭ２Ｍデバイスと通信するためにスロットを設定することができる。順方向リンクフレームに関する詳細が以下において説明される。
【００５５】
［００７５］順方向リンク通信モジュール４１０は、順方向リンク通信のために使用される周波数帯域を複数の周波数チャネルに分割することができる。複数のＭ２Ｍデバイスが逆方向リンクで送信するために同じ周波数チャネルを使用するのを可能にするためにＣＤＭＡ技法を使用することができる。ＣＤＭＡが実装されるため、チャネルの熱雑音及びチャネルを用いるその他のＭ２Ｍデバイスを原因とする干渉が存在する状態で各Ｍ２Ｍデバイスからの逆方向リンクでの信号を正確に受信できることが望まれる。ＣＤＭＡシステムが適切に動作するために、干渉及び熱雑音の合計のレベルが受信された信号を圧倒しないように制御することができる。このターゲットの干渉及び熱のレベルは、ＲｏＴ動作ポイント、ＲｏＴスレショルド、ＲｏＴターゲット、等である。ある所定の周波数チャネルに関してＲｏＴスレショルドが高ければ高いほど、より多くの数のＭ２Ｍデバイスが逆方向リンクでの通信のためにそのチャネルを使用することができる。従って、基地局からより遠くの距離に位置するＭ２Ｍデバイスは、それらの送信がＲｏＴスレショルドを克服するためにより高いレベルの電力を必要としないため、より少ない電力で低データレートで送信することができる。
【００５６】
［００７６］一実施形態においては、順方向リンク通信モジュール４１０は、送信機モジュール４１５を介して幾つかのＭ２Ｍデバイス１１５に送信するために幾つかのページングメッセージ３０５を生成することができる。ページングメッセージ３０５は、基地局１０５がＭ２Ｍデバイス１１５に対して基地局１０５と接触するように要求していることを特定のＭ２Ｍデバイス１１５に警告することができる。一構成においては、ページングメッセージ３０５は、異なるデータレートでページングタイムスロット中にページングチャネル（又はページングチャネルのサブチャネル）で送信することができ、Ｍ２Ｍデバイス１１５がページングメッセージを成功裏に復調するかどうかに依存する。
【００５７】
［００７７］一構成においては、ページングチャネルは、最大数未満のページングメッセージ３０５を含むことができる。ページングチャネルが最大数のページングメッセージ３０５を含まない場合は、ページングスロットはアイドルであると決定することができる。ページングチャネル内にシステムシステム情報を挿入することによってページングチャネルの未使用の容量を利用することができる。システム情報は、順方向リンクフレームのページングタイムスロット中にページングチャネルでＭ２Ｍデバイス１１５にブロードキャストすることができる。このタイプの情報を送信するための追加のチャネル及びタイムスロットが順方向リンクフレームにおいて回避される。その代わりに、システム情報を送信するためにアイドルのページングタイムスロットを再度使用することができる。
【００５８】
［００７８］受信機モジュール４０５は、Ｍ２Ｍデバイス１１５がページングメッセージ３０５を成功裏に復号したときにページング応答３１０を受信することができる。受信機モジュール４０５がページング応答３１０を受信しないときには、順方向リンク通信モジュール４１０は、ページングメッセージ３０５を再送信するように送信機モジュール４１５に命令するように構成することができる。送信機モジュール４１５は、ページングメッセージ３０５のオリジナルの送信よりも低いデータレートで及びより高い頻度でメッセージ３０５を再送信することができる。送信機モジュール４１５は、ページング応答３１０が受信機モジュール４０５によって受信されたときに及び／又はある一定の回数のメッセージ３０５の再送信が送信された後は再送信を停止することができる。送信機モジュール４１５は、異なる順方向リンクフレームの異なるサブページングチャネルでページングメッセージ３０５を送信及び再送信することができる。一構成においては、ページングメッセージ３０５を送信するためにページングチャネルが要求されないときには、順方向リンク通信モジュール４１０は、システム情報を生成して順方向リンクフレームのページングチャネル内に挿入することができる。送信機モジュール４１５は、フレームのページングチャネルでＭ２Ｍデバイス１１５にシステム情報を送信することができる。一構成においては、送信機４１５は、複数のフレームの複数のページングチャネルを用いて情報を送信することができる。ページングメッセージは、異なるデータレート及び異なるページングサイクルで異なるページングチャネルにおいて送信することができる。
【００５９】
［００７９］図４Ｂは、順方向リンク通信モジュール４１０−ａの一実施形態を例示したブロック図である。モジュール４１０−ａは、図４Ａの順方向リンク通信モジュールの一例であることができる。一例では、モジュール４１０−ａは、順方向リンクフレーム生成モジュール４２０と、ＡＣＫ生成モジュール４２５と、ページングスロット再使用モジュール４３０と、ページングサイクル選択モジュール４３５と、ページングチャネル選択モジュール４４０と、共有トラフィックチャネルフォーマット化モジュール４４５と、順方向リンクパケットフォーマット化モジュール４５０と、マルチチャネルモジュール４５５と、を含むことができる。
【００６０】
［００８０］順方向リンクフレーム生成モジュール４２０は、（例えば、基地局からＭ２Ｍデバイスへの）順方向リンク３２５での通信のために使用される物理層フレームを生成することができる。生成されたフレームは、短いデューティサイクル及び少数のスロッテッド（ｓｌｏｔｔｅｄ）物理層チャネルに基づくことができる。例えば、モジュール４２０は、合計２０ミリ秒（ｍｓ）である順方向リンク物理層フレームを生成することができる。モジュール４２０によって生成されたフレームのスロッテッド動作は、Ｍ２Ｍデバイス１１５がデータを期待しているフレームのスケジューリングされたタイムスロット中のみにウェイクアップして無線をオンにするのを可能にすることができる。その結果、Ｍ２Ｍデバイス１１５は、フレームの長さよりも短い時間アウェイクモードにあることができる。
【００６１】
［００８１］順方向リンクフレームの物理チャネルの各々は、パイロットシンボル及びデータシンボルの両方を含むことができ、それらは、時分割多重化（ＴＤＭ）することができる。一構成においては、モジュール４２０によって生成された順方向リンクフレームは、ページングスロットと、ＡＣＫスロットと、トラフィックスロットと、を含むことができる。ページングメッセージ及びその他の情報は、ページングタイムスロット中に順方向リンク通信３２５でＭ２Ｍデバイス１１５に対してページングチャネルで送信することができる。ＡＣＫメッセージは、ＡＣＫスロット中に送信することができる。データトラフィックは、トラフィックスロット中にＭ２Ｍデバイス１１５に対してトラフィックチャネルで送信することができる。
【００６２】
［００８２］ＡＣＫ生成モジュール４２５は、順方向リンク通信３２５で送信するためのＡＣＫメッセージを生成することができる。メッセージは、順方向リンクフレーム生成モジュール４２０によって生成される順方向リンクフレームの一部であるＡＣＫチャネルで送信することができる。一構成においては、チャネルは、複数のＡＣＫをＡＣＫパケットで送信するために使用することができる。パケット内の各ＡＣＫは、Ｍ２Ｍデバイス１１５の識別子（ＩＤ）であることができる。ＩＤは、Ｍ２ＭデバイスのネットワークＩＤであることができる。さらに、ＩＤは、ネットワークＩＤの圧縮されたバージョンであることができる。例えば、圧縮されたＩＤは、Ｍ２Ｍデバイス１１５のネットワークＩＤのハッシュであることができる。一構成においては、ＡＣＫ生成モジュール４２５は、ＡＣＫパケットを生成するために複数のＡＣＫをグループに分けることができる。一実施形態においては、ＡＣＫパケットは、順方向リンクのチャネル状態に依存して異なる数量のＡＣＫを含むことができる。
【００６３】
［００８３］幾つかの例では、ページングスロットは、ある一定の順方向リンクフレームに関してアイドルであることができる。例えば、ページングスロット中のページングチャネルの容量は、１００％の容量でないことができる。例えば、ページングスロットは、Ｍ２Ｍデバイス１１５に関するページングメッセージ３０５を送信するようにスケジューリングすることはできない。その結果、ページングチャネルは、空である（例えば、ページングメッセージ３０５がない）ことができる。ページングスロット再使用モジュール４３０は、Ｍ２Ｍデバイス１１５にシステム情報を通信するためにアイドルのページングスロットを再度使用することができる。システム情報は、システムタイミング及びセクタ番号情報を含むことができ及びページングタイムスロット中にＭ２Ｍデバイス１１５に送信するためにページングチャネル内に挿入することができる。従って、Ｍ２Ｍデバイス１１５にシステム情報を搬送するために順方向リンクフレーム内で追加のチャネルを確立することを回避することができる。代わりに、ページングスロット再使用モジュール４３０は、フレーム内のページングスロットのアイドルのページングチャネル内にシステム情報を挿入することができる。
【００６４】
［００８４］一実施形態においては、ページングサイクル選択モジュール４３５は、Ｍ２Ｍデバイスにページングメッセージを送信するための特定のページングサイクルを選択することができる。モジュール４３５は、Ｍ２Ｍ無線ＷＡＮにおいてＭ２Ｍデバイス１１５に関するページングサイクルを動的に変えるために柔軟なページング方式を提供することができる。ページングサイクル選択モジュール４３５は、デバイス１１５からページング応答３１０が受信されるかどうか、時刻、Ｍ２Ｍデバイス１１５の動作状態、等に依存してページングサイクルを動的に変えることができる。
【００６５】
［００８５］一構成においては、ページングチャネル選択モジュール４４０は、順方向リンク通信３２５を用いてＭ２Ｍデバイス１１５にページングメッセージを送信するためにページングチャネルのサブチャネルを選択することができる。例えば、選択モジュール４４０は、一次ページングチャネル及び二次ページングチャネルの間で選択することができる。モジュール４４０は、一次及び二次ページングチャネルを用いてＭ２Ｍ  ＷＡＮにおいて異なるデータレートでページングメッセージを送信するのを可能にするページング方式を提供することができる。一次ページングチャネルは、より長いページングサイクルに関して使用することができ、二次ページングチャネルは、より短いページングサイクルに関して使用することができる。一例では、基地局１０５は、第１のページングメッセージを送信することができる。モジュール４４０は、一次チャネルを選択することができる。第１のページングメッセージは、長いページングサイクルにわたって高いデータレートで一次チャネルで送信することができる。基地局は、第２のページングメッセージを送信することもできる。モジュール４４０は、二次ページングチャネルを選択することができる。第２のページングメッセージは、より短いページングサイクルにわたってより低いデータレートで送信されることになるため、第２のページングメッセージは、第２のページングメッセージで送信することができる。一実施形態においては、第１及び第２のページングメッセージは、同じであることができる。一例では、ページングチャネルは、論理チャネルであることができる。一構成においては、ページングチャネルは、ＣＤＭＡチャネルであることができる。一例では、ページングチャネルは、時分割多元接続（ＴＤＭＡ）チャネルであることができる。
【００６６】
［００８６］共有トラフィックチャネルフォーマット化モジュール４４５は、複数のＭ２Ｍデバイスによって共有することができる順方向リンクフレーム内のトラフィックチャネルをフォーマット化することができる。Ｍ２Ｍデバイス１１５が所定のトラフィックチャネルサイクル内でトラフィックスロット中に共有されるトラフィックチャネルでのデータを予想しているときには、デバイス１１５は、ＩＤフィールドによる指示に従ってデータを見つけるまでトラフィックチャネルサイクル中に複数の順方向リンクフレーム全体にわたってトラフィックチャネルスロットの読み取りを続けることができる。その結果、Ｍ２Ｍデバイス１１５は、データを見つけるのに必要な以上長くアウェイク状態にあることができる。フォーマット化モジュール４４５は、Ｍ２Ｍデバイス１１５に関するウェイクアップ時間を最小にするような形でトラフィックチャネルをフォーマット化することができる。Ｍ２Ｍデバイス１１５は、共有されるトラフィックチャネル上のデータを取り出すために特定のフレームのどのスロットがウェイクアップすべきであるかを決定することができる。どのスロットがウェイクアップすべきであるかを決定するために、基地局１０５は、サイクルの第１のトラフィックスロット中にスロットマップをブロードキャストすることができる。マップは、Ｍ２Ｍデバイス１１５がサイクル中にデータを受信するためにいずれのトラフィックスロットを期待することができるかを識別するためにハッシュ関数を使用することができる。トラフィックチャネルは、どのスロットを使用すべきかをデバイスが決定するのを可能にするためにモジュール４４５によってフォーマット化することができる。例えば、モジュール４４５は、ハッシュされたスロットにデータ又は実際のデータが所在するスロットを指し示すポインタが入っているように共有トラフィックチャネルをフォーマット化することができる。第１のフレームのスロットにすべてのポインタを入れることができない場合は、モジュール４４５は、オーバーフローフラグを設定し、ハッシュされたＭ２Ｍデバイスがデータの有無を検査することができる他のフレームの他のスロットを指し示すポインタを提供することができる。Ｍ２Ｍデバイス１１５に関するすべてのデータを単一のスロット中に収納できるわけでない場合は、モジュール４４５は、残りのデータが送信される他のスロットを示すポインタを含めるようにチャネルのトレーラフィールド（ｔｒａｉｌｅｒ  ｆｉｅｌｄ）をフォーマット化することができる。
【００６７】
［００８７］順方向リンクパケットフォーマット化モジュール４５０は、順方向リンク通信３２５で送信されるべきパケットをフォーマット化することができる。一例においては、モジュール４５０は、パケットの複数のコピーを生成することができる。さらに、モジュール４５０は、順方向リンクフレーム内のタイムスロットのサブスロット内にパケットの単一のコピーを挿入することができる。一実施形態においては、順方向リンクフレームのタイムスロット（例えば、ページングスロット、ＡＣＫスロット、トラフィックスロット）は、幾つかのサブスロットに分割することができる。順方向リンクパケットフォーマット化モジュール４５０は、生成されたサブスロットの各々の中にパケットの単一のコピーを挿入することができる。一構成においては、タイムスロット中にパケットを搬送するために使用されるチャネルは、幾つかのサブチャネルに分割することができる。その結果、サブチャネルは、順方向リンク通信３２５でパケットのコピーを搬送するために各サブスロット中に使用することができる。各サブチャネルは、パケットのコピーを高いデータレートで送信するために使用することができる。
【００６８】
［００８８］マルチチャネルモジュール４５５は、逆方向リンクの動作周波数帯域を幾つかの周波数チャネルに分割することができる。モジュール４５５は、各周波数チャネルに関するＲｏＴスレショルドを設定することもできる。一実施形態においては、マルチチャネルモジュール４５５は、Ｍ２Ｍ無線ＷＡＮ内のいずれのＭ２Ｍデバイス１１５が逆方向リンクでの通信のために幾つかのチャネルを使用すべきかを決定することができる。モジュール４５５は、これらのチャネル割り当てをＭ２Ｍデバイス１１５に送信することができる。さらに、マルチチャネルモジュール４５５は、１つ以上の周波数チャネルのＲｏＴスレショルドを動的に変更することができる。ＲｏＴスレショルドの変更決定は、ネットワークの混雑、１つ以上の個々のチャネルでのトラフィック、時刻、等に依存することができる。周波数チャネルのＲｏＴスレショルドを動的に変更することに関する詳細が以下においてより詳しく説明される。
【００６９】
［００８９］図５Ａは、様々な実施形態による逆方向リンク通信を管理するためのデバイス５００を例示したブロック図である。デバイス５００は、図１、２、３Ａ、及び／又は３Ｂを参照して説明されるＭ２Ｍデバイス１１５及び／又は基地局１０５の１つ以上の態様の例であることができる。デバイス５００は、プロセッサであることもできる。デバイス５００は、受信機モジュール５０５、逆方向リンク通信モジュール５１０、及び／又は送信機モジュール５１５を含むことができる。これらのコンポーネントの各々は、互いに通信状態にあることができる。
【００７０】
［００９０］デバイス５００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００７１】
［００９１］受信機モジュール５０５は、情報、例えば、パケット、データ、及び／又はデバイス５００が受信又は送信しているものに関するシグナリング情報、を受信することができる。受信された情報は、様々な目的のために逆方向リンク通信モジュール５１０によって利用することができる。
【００７２】
［００９２］受信機モジュール５０５は、順方向リンク通信３２５を用いて基地局１０５から送信された順方向リンク物理層パケットを受信するように構成することができる。逆方向リンク通信モジュール５１０は、Ｍ２Ｍデバイス１１５から基地局１０５にトラフィックを送信することができるトラフィックスロットを含む逆方向リンクフレームを生成することができる。
【００７３】
［００９３］一実施形態においては、逆方向リンク通信モジュール５１０は、逆方向リンクでの通信を早期に終了させることができる。上において説明されるように、基地局１０５からのＡＣＫメッセージの受信は、逆方向リンクでの早期終了をトリガすることができる。ＡＣＫメッセージを受信した時点で、逆方向リンク通信モジュール５１０は、逆方向リンク通信３３０で通信を送信するのを停止するように送信機５１５に命令することができる。逆方向リンク通信モジュール５１０に関する詳細が以下において説明される。
【００７４】
［００９４］図５Ｂは、逆方向リンク通信モジュール５１０−ａの一実施形態を例示したブロック図である。モジュール５１０−ａは、図５Ａの逆方向リンク通信モジュールの例であることができる。一例では、モジュール５１０−ａは、スリープ状態モジュール５２０と、チャネル識別モジュール５２５と、狭帯域チャネル識別モジュール５３０と、を含むことができる。
【００７５】
［００９５］一構成においては、スリープ状態モジュール５２０は、Ｍ２Ｍデバイス１１５が基地局１０５からメッセージを受信する上で十分に長い間ウェイクアップし、次に電力を節約するためにスリープ状態に戻るのを可能にすることができる。基地局は、順方向リンクフレームを用いてＭ２Ｍデバイスにメッセージを送信することができる。フレームは、メッセージを搬送するためのページングチャネルを含むことができる。ページングチャネルは、幾つかのサブチャネルを含むことができる。基地局は、メッセージのコピーを各サブチャネルで送信することができる。Ｍ２Ｍデバイスがサブチャネルのうちの１つにおけるメッセージを成功裏に受信及び復調したときには、スリープ状態モジュール５２０は、無線をオフにすること及び基地局にＡＣＫメッセージを戻さずにバッテリを節約するためにスリープ状態に戻ることをＭ２Ｍデバイス１１５に行わせることができる。
【００７６】
［００９６］一実施形態においては、チャネル識別モジュール５２５は、チャネルのＲｏＴレベルに少なくとも部分的に基づいて使用すべき逆方向リンクチャネルを識別することができる。前において説明されるように、逆方向リンクの動作帯域は、複数の逆方向リンク周波数チャネルに分割することができる。各周波数チャネル内において、複数のユーザの多重化のためにＣＤＭＡを実装することができる。各周波数チャネルは、それ自体のターゲットのＲｏＴ動作ポイントを有することができる。少なくとも１つの周波数チャネルを、低いＲｏＴ動作ポイントを有する低データレートランダムアクセスチャネルとして専用化することができる。幾つかの要因に依存して、チャネル識別モジュール５２５は、逆方向リンクでの通信のために使用すべき特定の周波数チャネルを識別することができる。一構成においては、基地局から順方向リンクで受信された信号の強度は、高いＲｏＴスレショルド又は低いＲｏＴスレショルドを有する周波数チャネルを使用すべきかどうかを決定するためにＭ２Ｍデバイスによって使用することができる。周波数チャネルの現在の混雑も、そのチャネルを使用すべきかどうかを決定するためにモジュール５２５によって使用することができる。さらに、モジュール５２５は、高いデータレートでデータパケットを送信するために使用するために高いＲｏＴスレショルドを有するチャネルを選択することができる。データパケットが受信されない（すなわち、ＡＣＫメッセージが基地局から受信されない）場合は、モジュール５２５は、低いデータレートでデータパケットを送信するために低いＲｏＴスレショルドを有するチャネルに切り換わることができる。一例においては、チャネル識別モジュール５２５は、オープンループデータレート予測を行うことができる。モジュール５２５が低いデータレート（例えば、毎秒２００ビット（ｂｐｓ））を予測する場合は、モジュール５２５は、低いＲｏＴスレショルドを有する低データレートランダムアクセスチャネルとして専用化されている周波数チャネルを選択することができる。一例においては、基地局は、各Ｍ２Ｍデバイスのデータレートを予測し、低いデータレートで送信することが予測されるＭ２Ｍデバイスに対して低いＲｏＴスレショルドを有する専用周波数チャネルを使用するように命令することができる。一構成においては、チャネル識別モジュール５２５は、順方向リンクでの信号の強度を決定することができる。順方向リンクでの信号の強度がスレショルドを下回る場合は、モジュール５２５は、それ自体と基地局との間の不良な信号品質を有するエリアに位置していると断定することができる。その結果、モジュール５２５は、専用の低ＲｏＴ周波数チャネルを逆方向リンクで基地局に送信するために使用すべきチャネルとして識別することができる。
【００７７】
［００９７］一例においては、狭帯域チャネル識別モジュール５３０は、チャネルの状態に少なくとも部分的に基づいて逆方向リンクでデータを送信するために使用すべき狭帯域チャネルを識別することができる。一実施形態においては、逆方向リンクの動作帯域を幾つかの狭帯域周波数チャネルに分割することができる。各狭帯域チャネルのビジー又はアイドル状態を各Ｍ２Ｍデバイス１１５にブロードキャストすることができる。デバイスは、プリアンブルを送信することによってチャネルのアイドルの組からランダムに選択されたチャネルに関して競争することができる。モジュール５３０は、チャネルがＭ２Ｍデバイスに暗黙に又は明示で割り当てられた場合にチャネルを用いて逆方向リンクでの送信データを選択することができる。Ｍ２Ｍデバイスは、暗黙に又は明示で割り当てられているチャネルでデータを送信している間は、そのチャネルでのデータの送信は、同じチャネルを用いてデータパケットを送信することを試みている他のＭ２Ｍデバイスによって割り込むことはできない。
【００７８】
［００９８］図６は、様々な実施形態による順方向リンク通信を管理するためのデバイス６００を示したブロック図である。デバイス６００は、図１、２、３Ａ、３Ｂ、４Ａ、及び／又は４Ｂを参照して説明される基地局の１つ以上の態様の例であることができる。デバイス６００は、プロセッサであることもできる。デバイス６００は、受信機モジュール４０５−ａ、順方向リンク通信モジュール４１０−ａ、及び／又は送信機モジュール４１５−ａを含むことができる。これらのコンポーネントの各々は、互いに通信状態にあることができる。
【００７９】
［００９９］デバイス６００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００８０】
［０１００］受信機モジュール４０５−ａは、情報、例えば、パケット、データ、及び／又はデバイス６００が受信又は送信しているものに関するシグナリング情報、を受信することができる。受信された情報は、前述されるように、様々な目的のために順方向リンク通信モジュール４１０−ａによって利用することができる。
【００８１】
［０１０１］一構成においては、順方向リンク通信モジュール４１０−ａは、マルチチャネルモジュール４５５−ａを含むことができる。モジュール４５５−ａは、図４Ｂのモジュール４５５の例であることができる。一構成においては、マルチチャネルモジュール４５５−ａは、動作周波数帯域から幾つかのＣＤＭＡ周波数チャネルを生成することができる。個々の周波数チャネルに関して別個の及び個別のＲｏＴ動作スレショルドを設定することができる。ＲｏＴスレショルドの設定に関する詳細が以下において説明される。
【００８２】
［０１０２］図７は、様々な実施形態によりＭ２Ｍデバイス１１５の電力を節約するためにＣＤＭＡ周波数チャネルに関するＲｏＴスレショルドを設定及び調整するために構成することができる通信システム７００のブロック図を示す。このシステム７００は、図１において描かれるシステム１００、図２のシステム２００、図３Ａのシステム３００、図４Ａのシステム４００、及び／又は図６のシステム６００の態様の例であることができる。
【００８３】
［０１０３］システム７００は、基地局１０５−ｄを含むことができる。基地局１０５−ｄは、アンテナ７４５と、トランシーバモジュール７５０と、メモリ７７０と、プロセッサモジュール７６５と、を含むことができ、それらの各々は、直接又は間接的に、（例えば、１つ以上のバスを通じて）互いに通信状態にあることができる。トランシーバモジュール７５０は、アンテナ７４５を介して、Ｍ２Ｍデバイス１１５と両方向で通信するように構成することができ、Ｍ２Ｍデバイス１１５は、センサ、計器、又は、追跡、検知、モニタリング、等が可能なあらゆるその他のタイプのデバイスであることができる。トランシーバモジュール７５０（及び／又は基地局１０５−ｄのその他のコンポーネント）は、１つ以上のネットワークと両方向で通信するように構成することもできる。幾つかの場合は、基地局１０５−ｄは、ネットワーク通信モジュール７７５を通じてコアネットワーク１３０−ａと通信することができる。
【００８４】
［０１０４］基地局１０５−ｄは、その他の基地局１０５、例えば、基地局１０５−ｍ及び基地局１０５−ｎ、とも通信することができる。基地局１０５の各々は、異なる無線通信技術、例えば、異なる無線アクセス技術、を用いてＭ２Ｍデバイス１１５と通信することができる。幾つかの場合は、基地局１０５−ｄは、基地局通信モジュール７３５を利用してその他の基地局、例えば、１０５−ｍ及び／又は１０５−ｎと通信することができる。幾つかの実施形態においては、基地局１０５−ｄは、コントローラ１２０及び／又はコアネットワーク１３０−ａを通じてその他の基地局と通信することができる。
【００８５】
［０１０５］メモリ７７０は、ランダムアクセスメモリ（ＲＡＭ）と、読み取り専用メモリ（ＲＯＭ）と、を含むことができる。メモリ７７０は、実行されたときにここにおいて説明される様々な機能（例えば、ＲｏＴ動作ポイントの設定、ＡＣＫ方式、ページングメッセージに関する動的データレート方式、柔軟なページング方式、データトラフィック方式、等）を実行することをプロセッサモジュール７６５に行わせるように構成される命令が入ったコンピュータによって読み取り可能な、コンピュータによって実行可能なソフトウェアコード７７１を格納することもできる。代替として、ソフトウェア７７１は、プロセッサモジュール７６５によって直接実行することができず、例えば、コンパイルされて実行されたときにここにおいて説明される機能を実行することをコンピュータに行わせるように構成することができる。
【００８６】
［０１０６］プロセッサモジュール７６５は、インテリジェントハードウェアデバイス、例えば、Ｉｎｔｅｌ（登録商標）  Ｃｏｒｐｏｒａｔｉｏｎ又はＡＭＤ（登録商標）によって製造されるような中央処理装置（ＣＰＵ）、マイクロコントローラ、特定用途向け集積回路（ＡＳＩＣ）、等を含むことができる。トランシーバモジュール７５０は、Ｍ２Ｍデバイス１１５に関してパケットを変調して変調されたパケットを送信のためにアンテナ７４５に提供し、及び、アンテナ７４５から受信されたパケットを復調するように構成されたモデムを含むことができる。基地局１０５−ｄの幾つかの例は、単一のアンテナ７４５を含むことができる一方で、基地局１０５−ｄは、好ましいことに、搬送波アグリゲーション（ａｇｇｒｅｇａｔｉｏｎ）をサポートすることができる複数のリンクに関する複数のアンテナ７４５を含む。例えば、Ｍ２Ｍデバイス１１５とのマクロ通信をサポートするために１つ以上のリンクを使用することができる。
【００８７】
［０１０７］図７のアーキテクチャにより、基地局１０５−ｄは、通信管理モジュール７３０をさらに含むことができる。通信管理モジュール７３０は、その他の基地局１０５との通信を管理することができる。一例として、通信管理モジュール７３０は、バスを介して基地局１０５−ｄのその他のコンポーネントの一部又は全部と通信する基地局１０５−ｄのコンポーネントであることができる。代替として、通信管理モジュール７３０の機能は、トランシーバモジュール７５０のコンポーネントとして、コンピュータプログラム製品として、及び／又はプロセッサモジュール７６５の１つ以上のコントローラ要素として実装することができる。
【００８８】
［０１０８］基地局１０５−ｄに関するコンポーネントは、図６のデバイス６００に関して上述される態様を実装するように構成することができ、ここでは簡潔さを目的として繰り返されない。一実施形態においては、基地局１０５−ｄは、マルチチャネルモジュール４５５−ｂを含むことができ、それは、図４Ｂ及び／又は６において例示されるモジュール４５５の例であることができる。モジュール４５５−ｂは、分割モジュール７０５と、チャネル構成モジュール７１０と、デバイス識別モジュール７１５と、を含むことができる。
【００８９】
［０１０９］一構成においては、分割モジュール７０５は、Ｍ２Ｍ無線ＷＡＮにおける幾つかのＭ２Ｍデバイスへの順方向リンクでの通信のために基地局１０５−ｄによって使用される現在の動作周波数帯域を識別することができる。モジュール７０５は、動作帯域を幾つかの個々の周波数チャネルに分割することができる。周波数チャネルは、幾つかの異なるＭ２Ｍデバイスが逆方向リンクでの通信のために同じチャネルを使用するのを可能にするためのＣＤＭＡ技法を採用することができる。
【００９０】
［０１１０］一実施形態においては、チャネル構成モジュール７１０は、ＲｏＴ動作ポイントを有する各ＣＤＭＡ周波数チャネルを構成することができる。例えば、１つ以上の周波数チャネルの第１のグループは、第１のレベルで設定されたＲｏＴ動作ポイントで構成することができる。１つ以上のチャネルの第２のグループは、第２のレベルで設定されたＲｏＴ動作ポイントで構成することができ、それは、第１のレベルよりも低いことができる。一構成においては、第１のチャネルグループ内のチャネルは、第２のチャネルグループ内のチャネルよりも多くのＭ２Ｍデバイスに関するデータパケットを搬送するための容量を有することができる。さらに、第１のグループ内のチャネルで搬送されるデータパケットは、第２のグループ内のチャネルで搬送されるパケットよりも高いデータレートで送信することができる。
【００９１】
［０１１１］デバイス識別モジュール７１５は、第１のチャネルグループ内のチャネルを使用するための１つ以上のＭ２Ｍデバイス及び第２のグループ内のチャネルを使用するための１つ以上のＭ２Ｍデバイスを識別することができる。モジュール７１５は、基地局１０５−ｄからある一定の範囲内に位置するデバイ１１５を識別することができ及び逆方向リンクでデータパケットを送信するために第１のグループ内のチャネルを使用するようにこれらのデバイス１１５に命令することができる。基地局１０５−ｄ以降の距離に位置するデバイ１１５に対しては、それらのデータパケットを送信するために第２のグループ内のチャネルを使用するようにモジュール７１５によって命令することができる。一構成においては、モジュール７１５は、Ｍ２Ｍデバイス１１５において受信された順方向リンク通信の信号強度を推定することによっていずれのデバイス１１５が基地局１０５−ｄから一定の距離内に位置するかを決定することができる。強い信号強度は、推定される弱い信号強度よりも基地局の近くに位置することを示すことができる。モジュール７１５は、いずれのデバイス１１５が異なるチャネルで通信すべきであるかを識別するために時刻パラメータを使用することもできる。一実施形態においては、ネットワークの混雑が激しくないことが予想される時刻には、モジュール７１５は、低いＲｏＴスレショルドを有する周波数チャネルを使用するようにＭ２Ｍデバイス１１５に命令することができる。このチャネルの容量は低いことができるが、逆方向リンクにおいて予想される混雑も激しくないことが予想される。その結果、Ｍ２Ｍデバイス１１５は、低いＲｏＴに起因してより低い電力を用いてこのチャネルで送信することができる。ネットワークの混雑が激しいことが予想される場合は、モジュール７１５は、低いデータレートで送信する基地局１０５−ｄからより遠くの距離に位置するＭ２Ｍデバイスに関して低いＲｏＴスレショルドを有するチャネルを予約することができる。
【００９２】
［０１１２］幾つかの実施形態においては、トランシーバモジュール７５０は、アンテナ７４５と共同で、基地１０５ｄ−ｄのその他の可能なコンポーネントとともに、基地局１０５−ｄからＭ２Ｍデバイス１１５に、その他の基地局１０５−ｍ／１０５−ｎに、又はコアネットワーク１３０−ａに、トラフィックスロットを各々含む幾つかの順方向リンクフレームを送信することができる。
【００９３】
［０１１３］図８は、様々な実施形態による逆方向リンク通信を管理するためのデバイス８００を例示したブロック図である。デバイス８００は、図１、２、３Ａ、３Ｂ、及び／又は５Ａを参照して説明されるＭ２Ｍデバイス１１５の１つ以上の態様の例であることができる。デバイス８００は、プロセッサであることもできる。デバイス８００は、受信機モジュール５０５−ａ、逆方向リンク通信モジュール５１０−ａ、及び／又は送信機モジュール５１５−ａを含むことができる。逆方向リンク通信モジュール５１０−ａは、チャネル識別モジュール５２５−ａを含むことができる。モジュール５２５−ａは、図５Ｂを参照して説明されるモジュール５２５の例であることができる。これらのコンポーネントの各々は、互いに通信状態にあることができる。
【００９４】
［０１１４］デバイス８００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００９５】
［０１１５］受信機モジュール５０５−ａは、情報、例えば、パケット、データ、及び／又はデバイス８００が受信又は送信しているものに関するシグナリング情報、を受信することができる。受信された情報は、様々な目的のために逆方向リンク通信モジュール５１０−ａによって利用することができる。送信機モジュール５１５−ａは、逆方向リンクフレームで逆方向リンクでパケット、データ、及び／又はシグナリング情報を送信することができる。逆方向リンクフレームは、トラフィックスロットを含むことができ、制御情報を送信することができるその他の制御スロットは含まない。トラフィックスロットは、逆方向リンクでデータを送信することができる２０ｍｓの長さを有することができる。
【００９６】
［０１１６］受信機モジュール５０５−ａは、順方向リンクで基地局１０５から送信された順方向リンク物理層データパケットを受信するように構成することができる。一例においては、受信機モジュール５０５−ａは、逆方向リンクでの通信のために該当するＲｏＴスレショルドを有するいずれの周波数チャネルを使用すべきかを決定するためにデバイス８００によって使用することができる順方向リンクの信号強度を受信することができる。チャネル識別モジュール５２５−ａは、受信された信号強度を解析し、信号強度の解析に基づいて該当するＲｏＴスレショルドを有する使用すべき周波数チャネルを決定することができる。さらに、受信機モジュール５０５−ａは、逆方向リンクで通信するためにチャネルを用いるその他のＭ２Ｍデバイス１１５から干渉信号を受信することがある。一実施形態においては、基地局１０５は、それの混雑レベル（すなわち、長期平均ＲｏＴ）を順方向リンクで定期的にブロードキャストすることができる。チャネル識別モジュール５２５−ａは、ネットワークの推定される混雑レベルを決定するために、干渉信号のレベル、基地局１０５によって報告された混雑レベル、等を解析することができる。モジュール５２５−ａは、ネットワーク内の逆方向リンクの推定される混雑に少なくとも部分的に基づいてある一定のＲｏＴレベルを有する使用すべき周波数チャネルを選択することができる。送信機モジュール５２５−ａは、チャネル識別モジュール５２５−ａによって識別された周波数チャネルを用いて逆方向リンクでデータパケットを送信することができる。
【００９７】
［０１１７］図９は、様々な実施形態による電力の消費を管理するためのＭ２Ｍデバイス１１５−ｄのブロック図９００を示す。Ｍ２Ｍデバイス１１５−ｄは、様々な構成、例えば、上述される様々なＭ２Ｍ用途に関するセンサ又はモニタ、のうちのいずれかを有することができる。Ｍ２Ｍデバイス１１５−ｄは、センサモジュール９４０を介して情報をキャプチャ又は検知することができる。Ｍ２Ｍデバイス１１５−ｄは、モバイル動作を容易にするための内部電源、例えば、小型バッテリ、を有することができる。幾つかの実施形態においては、Ｍ２Ｍデバイス１１５−ｄは、図１、２、３Ａ、及び／又は３Ｂを参照して説明されるＭ２Ｍデバイス１１５であることができる。Ｍ２Ｍデバイス１１５−ｄは、図５Ａのデバイス５００及び／又は図８のデバイス８００の態様を含むことができる。Ｍ２Ｍデバイス１１５−ｄは、マルチモードのモバイルデバイスであることができる。Ｍ２Ｍデバイス１１５−ｄは、幾つかの場合にはＭ２Ｍ  ＵＥ又はＭＴＣデバイスと呼ぶことができる。
【００９８】
［０１１８］Ｍ２Ｍデバイス１１５−ｄは、アンテナ９４５と、トランシーバモジュール９５０と、メモリ９８０と、プロセッサモジュール９７０と、を含むことができ、それらの各々は、直接又は間接的に、（例えば、１つ以上のバスを介して）互いに通信状態にあることができる。上述されるように、トランシーバモジュール９５０は、アンテナ９４５及び／又は１つ以上の有線又は無線リンクを介して、１つ以上のネットワークと両方向で通信することができる。
【００９９】
例えば、トランシーバモジュール９５０は、図１、２、３Ａ、３Ｂ及び／又は７の基地局１０５と両方向で通信することができる。さらに、トランシーバモジュール９５０は、図４Ａのデバイス４００及び／又は図６のデバイス６００の態様と通信することができる。トランシーバモジュール９５０は、パケットを変調して変調されたパケットを送信のためにアンテナ９４５に提供するように、及び、アンテナ９４５から受信されたパケットを復調するように構成されたモデムを含むことができる。Ｍ２Ｍデバイス１１５−ｄは、単一のアンテナ９４５を含むことができる一方で、Ｍ２Ｍデバイス１１５−ｄは、複数の送信リンクのための複数のアンテナ９４５を含むことができる。
【０１００】
［０１１９］メモリ９８０は、ランダムアクセスメモリ（ＲＡＭ）と、読み取り専用メモリ（ＲＯＭ）と、を含むことができる。メモリ９８０は、実行されたときにここにおいて説明される様々な機能（例えば、パケットの受信、スリープ状態に入る、等）を実行することをプロセッサモジュール９７０に行わせるように構成される命令が入ったコンピュータによって読み取り可能な、コンピュータによって実行可能なソフトウェアコード９８５を格納することができる。代替として、ソフトウェアコード９８５は、プロセッサモジュール９７０によって直接実行することができず、（例えば、コンパイルされて実行されたときに）ここにおいて説明される機能を実行することをコンピュータに行わせるように構成することができる。プロセッサモジュール９７０は、インテリジェントハードウェアデバイス、例えば、Ｉｎｔｅｌ（登録商標）  Ｃｏｒｐｏｒａｔｉｏｎ又はＡＭＤ（登録商標）によって製造されるような中央処理装置（ＣＰＵ）、ＡＳＩＣ、マイクロコントローラ、等を含むことができる。
【０１０１】
［０１２０］図９のアーキテクチャにより、Ｍ２Ｍデバイス１１５−ｄは、通信管理モジュール９６０をさらに含むことができる。通信管理モジュール９６０は、基地局１０５及び／又はその他のＭ２Ｍデバイス１１５との通信を管理することができる。一例として、通信管理モジュール９６０は、バスを介してＭ２Ｍデバイス１１５−ｄのその他のコンポーネントの一部又は全部と通信するＭ２Ｍデバイス１１５−ｄのコンポーネントであることができる。代替として、通信管理モジュール９６０の機能は、トランシーバモジュール９５０のコンポーネントとして、コンピュータプログラム製品として、及び／又はプロセッサモジュール９７０の１つ以上のコントローラ要素として実装することができる。
【０１０２】
［０１２１］幾つかの実施形態においては、Ｍ２Ｍデバイス１１５−ｄは、データを測定及び／又はキャプチャし、ネットワークにおいて明示の登録を行わずにそのネットワークにデータを送信することができる。一実施形態においては、Ｍ２Ｍデバイス１１５−ｄは、利用可能な基地局又はネットワークセルのパイロット信号をモニタリングし、基地局又はネットワークセルに明示で登録せずにその基地局又はネットワークセルを通信のために選択することができる。幾つかの構成においては、Ｍ２Ｍデバイス１１５−ｄは、選択された基地局又はネットワークセルで明示で登録されていないが、選択された基地局又はネットワークセルに関するシステム情報をモニタリングすることができる。選択された基地局又はネットワークセルに関するシステム情報は、明示の登録トリガを含むことができ、Ｍ２Ｍデバイス１１５−ｄは、明示の登録トリガのうちの１つが検出されたときでさえもネットワークにおける明示の登録を抑止することができる。例えば、Ｍ２Ｍデバイス１１５−ｄは、１つ以上の登録トリガ、例えば、デバイスパワーアップ／パワーダウン、周波数／帯域クラスの変更、期間に基づく登録、移動に基づく登録、ゾーンに基づく登録、及び／又はパラメータ変更に基づく登録、に基づいて登録を抑止することができる。
【０１０３】
［０１２２］システム情報は、選択された基地局又はネットワークセルにアクセスする際に使用するためのアクセスパラメータを含むことができる。Ｍ２Ｍデバイス１１５−ｄは、（例えば、センサモジュール９４０を介して）イベントに関連する情報をキャプチャ又は測定し、選択された基地局又はネットワークセルにおいて明示の登録を行う前に又は行わずに、ネットワークアクセスの一部として選択された基地局又はネットワークセルにその情報を送信することができる。ネットワークアクセスは、アクセスパラメータのうちの１つ以上を用いて行うことができる。Ｍ２Ｍデバイス１１５−ｄは、キャプチャされた又は測定されたイベントデータを選択された基地局又はネットワークセルに送信するネットワークアクセスの一部として選択された基地局又はネットワークセルによって暗黙に登録することができる。
【０１０４】
［０１２３］登録を抑止することは、Ｍ２Ｍデバイス１１５−ｄがターゲットセルへの登録において被る電力上のペナルティに留意せずに送信のための最良のネットワークセルを選択するのを可能にすることもできる。例えば、Ｍ２Ｍデバイス１１５−ｄは、（新しいネットワークでの明示の登録を有する）明示のハンドオーバーを行うことによって被ることになる電力上のペナルティを考慮することなしに各々のネットワークとの通信のために推定される電力消費量に基づいて利用可能なネットワークを選択することができる。
【０１０５】
［０１２４］Ｍ２Ｍデバイス１１５−ｄに関するコンポーネントは、図５Ａのデバイス５００及び／又は図８のデバイス８００に関して上述される態様を実装するように構成することができ、ここでは簡潔さを目的として繰り返されない。一例においては、Ｍ２Ｍデバイス１１５−ｄは、チャネル識別モジュール５２５−ｂを含むことができ、それは、図５Ａ及び／又は図８のモジュールの例であることができる。チャネル識別モジュール５２５−ａは、チャネルメッセージ解析モジュール９０５と、チャネル選択モジュール９１０と、を含むことができる。前記のように、チャネル識別モジュール５２５−ｂは、ネットワークの幾つかの条件、順方向リンクの信号強度、等に基づいて（ある一定のＲｏＴスレショルドを有する）いずれの周波数チャネルを使用すべきかを決定することができる。一実施形態においては、モジュール５２５−ｂは、高いＲｏＴスレショルドを有するチャネルを選択することができ、Ｍ２Ｍデバイス１１５−ｄは、逆方向リンクで高いデータレートでデータパケットを送信するためにこのチャネルを使用することができる。モジュール５２５−ｂは、データパケットが受信されているかどうかを示す、基地局から受信されるＡＣＫメッセージの有無をモニタリングすることができる。ＡＣＫメッセージが受信されない時点で、チャネル識別モジュール５２５−ｂは、より低いＲｏＴスレショルドを有する周波数チャネルを使用することに切り換わることができる。これで、Ｍ２Ｍデバイス１１５−ｄは、低いデータレートでデータパケットを送信することができる。
【０１０６】
［０１２５］一構成においては、基地局１０５は、（ＲｏＴスレショルドに基づいて）Ｍ２Ｍデバイス１１５−ｄが逆方向リンクで通信するために使用すべき周波数チャネルに関してそのデバイスに命令することができる。その結果、モジュール５２５−ｂは、基地局１０５から受信された割り当て情報又は命令に基づいて逆方向リンクでの送信のために使用すべきチャネルを識別することもできる。例えば、基地局１０５は、いずれの周波数チャネルがＭ２Ｍデバイス１１５によって使用されるべきかを決定することができ及びこれらの命令をデバイスに送信することができる。チャネルメッセージ解析モジュール９０５は、これらの命令又は割り当てメッセージを受信し、それらの命令又は割り当てメッセージによって示された周波数チャネルを識別することができる。チャネル選択モジュール９１０は、モジュール５２５−ｂによって識別されるチャネルを選択することができる。選択されたチャネルは、Ｍ２Ｍデバイス１１５−ｄから基地局１０５にデータパケットを搬送するために逆方向リンク通信に関して使用することができる。
【０１０７】
［０１２６］図１０は、逆方向リンク通信のために使用されるために利用可能である幾つかの周波数チャネル１００５の一実施形態を例示したブロック図である。一構成においては、逆方向リンクの動作周波数帯域は、幾つかの周波数チャネル１００５に分割することができる。その結果得られる周波数チャネル数は、様々な要因に依存することができる。例えば、分割によって得られる周波数チャネル数は、Ｍ２Ｍ無線ＷＡＮにおけるＭ２Ｍデバイス１１５の数が増加するのに応じて増加する。さらに、周波数チャネル数は、ネットワークでの混雑レベルがある一定のレベルを上回ることが予想される場合は増加することができる。さらに、周波数チャネル数は、基地局１０５のカバレッジセルのサイズが増大するのに応じて増加することができる。一実施形態においては、基地局１０５は、逆方向リンクの動作周波数帯域の分割から生成される周波数チャネル数を決定するための処理を含むことができる。
【０１０８】
［０１２７］各周波数チャネル１００５は、ＲｏＴスレショルド１０１０を含むことができる。ＲｏＴスレショルド１０１０は、基地局１０５が動作することを好む逆方向リンクでの総干渉レベルを示すことができる。一構成においては、第１の周波数チャネル１００５−ａ−１は、第１のＲｏＴスレショルド１０１０−ａ−１を含むことができる。第２の周波数チャネル１００５−ａ−２は、第２のＲｏＴスレショルド１０１０−ａ−２を含むことができる。第１のＲｏＴスレショルド１０１０−ａ−１は、第２のＲｏＴスレショルド１０１０−ａ−２よりも高いことができる。その結果、第１の周波数チャネル１００５−ａ−１を用いるＭ２Ｍデバイス１１５には、より高い干渉レベルを克服するために第２の周波数チャネル１００５−ａ−２を用いてデータパケットを送信するＭ２Ｍデバイス１１５よりも多くの電力でデータパケットを送信するように要求することができる。
【０１０９】
［０１２８］周波数チャネルのＲｏＴスレショルド１０１０は、その特定のチャネルの容量を決定することができる。一実施形態においては、周波数チャネル１００５−ａ−１は、第１のＲｏＴスレショルド１０１０−ａ−１を有し、第１の容量１０１５−ａ−１を有することができる。対照的に、第２の周波数チャネル１００５−ａ−２は、第２のＲｏＴスレショルド１０１０−ａ−２を有し、第１の容量１０１５−ａ−１よりも低い第２の容量１０１５−ａ−２を有することができる。容量は、周波数チャネルに関するＲｏＴスレショルド１０１０に基づいて、その周波数チャネルを同時に使用することができるＭ２Ｍデバイスの数を表すことができる。その結果、チャネルのＲｏＴスレショルドが増大するのに応じて、そのチャネルの容量１０５も増大する。同様に、スレショルドが低下するのに応じて、チャネルの容量は低減する。
【０１１０】
［０１２９］一実施形態においては、ＲｏＴスレショルド１０１０は、データパケットを送信するために使用することができるデータレートも示すことができる。一実施形態においては、第１の周波数チャネル１００５−ａ−１で送信されるデータパケットは、より低いＲｏＴスレショルドを有する第２のチャネル１００５−ａ−２で送信されるパケットよりも高いデータレートで送信することができる。一構成においては、パケットは、低いＲｏＴスレショルドを有するチャネルを用いて高いデータレートで送信することができる。高いデータレートで送信する能力は、その周波数チャネルを使用するＭ２Ｍデバイス１１５の数に依存することができる。低いＲｏＴチャネルを使用するデバイス１１５の数がスレショルドを下回る場合は、高いデータレートを達成させることができる。
【０１１１】
［０１３０］図１１は、１つ以上の周波数チャネル１００５に関するＲｏＴスレショルドを好適に変更する一実施形態を例示したブロック図１１００である。一構成においては、逆方向リンクの動作周波数帯域が幾つかの周波数チャネル１００５に分割された後は、各チャネル１００５に関してＲｏＴスレショルドを設定することができる。一実施形態においては、スレショルド１０１０は、動作帯域の分割を完了した時点で設定することができる。他の実施形態においては、ＲｏＴスレショルドの設定は、逆方向リンクで使用するためにＭ２Ｍデバイスにチャネルを割り当てることによってトリガすることができる。
【０１１２】
［０１３１］一例においては、ＲｏＴスレショルドが確立された後に、スレショルド１０１０は、動的に変える（例えば、引き上げる又は引き下げる）ことができる。ＲｏＴスレショルド１０１０を変更することは、チャネルを使用しているＭ２Ｍデバイス１１５の数が変化した場合にトリガすることができる。さらに、スレショルド１０１０は、逆方向リンクでの通信の推定される混雑レベルに基づいて変えることができる。一例においては、時刻は、周波数チャネルに関して以前に設定されているＲｏＴスレショルド１０１０を変更すべきかどうかに影響を与えることがある。時刻は、逆方向リンクにおいて推定される混雑レベルを決定する際の１つの要因であることができる。
【０１１３】
［０１３２］一実施形態においては、時間ｔ１において、ＲｏＴスレショルド１０１０は、様々な周波数チャネル１００５に関して設定することができる。ＲｏＴスレショルド１０１０は、チャネルを使用しているその他のＭ２Ｍデバイス１１５の信号によって引き起こされるチャネル上の干渉レベル及びチャネルの熱雑音レベルを克服するために各特定のチャネルで要求される信号強度を示すことができる。時間ｔ１の後に生じる時間ｔ２において、ＲｏＴスレショルド１０１０のうちの一部が動的に変化することができる。例えば、第１の周波数チャネル１００５−ａ−１に関して時間ｔ１において確立された第１のＲｏＴスレショルド１０１０−ａ−１は、ある一定の容量レベル１０１５−ａ−１を第１のチャネル１００５−ａ−１に提供することができる。時間ｔ２において、第１のＲｏＴスレショルド１０１０−ｂ−１を引き下げ、チャネル１００５−ａ−１の容量レベル１０１５−ｂ−１を低下させることができる。一例においては、時間ｔ１において、ある一定の数のＭ２Ｍデバイス１１５が逆方向リンクで通信するために第１の周波数チャネル１００５−ａ−１を使用することができる。しかしながら、時間ｔ２において、第１のチャネル１００５−ａ−１を使用しているデバイス１１５の数は、減少していることがある。従って、第１のＲｏＴスレショルドも低下することができる。特定のチャネルを使用中のＭ２Ｍデバイス１１５の数が増加した場合は、そのチャネルに関するＲｏＴスレショルド１０１０も増大することができる。
【０１１４】
［０１３３］一構成においては、低いＲｏＴスレショルド１０１０を有する少なくとも１つの周波数チャネル１００５を逆方向リンクで利用可能であることができる。このチャネル１００５は、基地局１０５との逆方向リンクで強い信号強度を有さないＭ２Ｍデバイス１１５によって使用することができる。これらのデバイス１１５は、基地局１０５と間で強い信号強度を有するＭ２Ｍデバイス１１５よりも基地局１０５から遠い距離に位置するため、大きい経路損失を有することがある。低いＲｏＴスレショルドを有するチャネル１００５は、時々変化することがある。一例においては、第２の周波数チャネル１００５−ａ−２は、残りのチャネル１００５のスレショルド１０１０よりも低い第２のＲｏＴスレショルド１０１０−ａ−２を含むことができる。時間ｔ２において、
第２のＲｏＴスレショルド１０１０−ａ−２は同じままであることができる。しかしながら、その後の時間において、第２のＲｏＴスレショルド１０１０−ａ−２は、最低のＲｏＴスレショルドでないようにするために増大することができる。一構成においては、他のチャネル１００５のＲｏＴスレショルド１０１０が低下することができ、従って、逆方向リンクで通信するために大きい経路損失を有するＭ２Ｍデバイスによって使用されるチャネルであることができる。
【０１１５】
［０１３４］図１２は、本システム及び方法の様々な実施形態によるＭ２Ｍ無線ＷＡＮ１２００の一実施形態を例示したブロック図である。一例においては、基地局１０５−ｅは、Ｍ２Ｍデバイス１２０５の１つ以上のグループと通信することができる。基地局１０５−ｅは、図１、２、３Ａ、３Ｂ、４Ａ、６、及び／又は７において示される基地局の例であることができる。Ｍ２Ｍデバイス１２０５の１つ以上のグループは、図１、２、３Ａ、３Ｂ、５Ａ、８、及び／又は９において示されるデバイス１１５の例であるＭ２Ｍデバイス１１５を含むことができる。
【０１１６】
［０１３５］一構成においては、Ｍ２Ｍデバイスの各グループは、逆方向リンクで周波数チャネル１００５−ｂを介して基地局−ｅと通信することができる。周波数チャネル１００５−ｂは、図１０及び／又は１１において例示される周波数チャネル１００５の例であることができる。一実施形態においては、Ｍ２Ｍデバイス１１５の第１のグループ１２０５−ａ−１は、第１の周波数チャネル１００５−ｂ−１を用いて基地局１０５−ｅにデータパケットを送信することができる。Ｍ２Ｍデバイスの第２のグループ１２０５−ａ−２は、第２の周波数チャネル１００５−ｂ−２を用いて基地局１０５−ｅにデータパケットを送信することができる。
【０１１７】
［０１３６］一構成においては、各周波数チャネル１００５−ｂに関して設定されるＲｏＴスレショルドは異なることができる。一実施形態においては、第１のチャネル１００５−ｂ−１に関して設定されたスレショルドは、第２のチャネル１００５−ｂ−２のスレショルドよりも高いことができる。ＲｏＴスレショルドの結果として、第１のチャネル１００５−ｂ−１の容量は、第２のチャネル１００５−ｂ−２の容量よりも高いことができる。一例においては、基地局１０５−ｅは、第１及び／又は第２のチャネル１００５−ｂに関して設定されたスレショルドを動的に変えることができる。一構成においては、第１のグループ１２０５−ａ−１内の１つ以上のＭ２Ｍデバイス１１５は、第１の周波数チャネル１００５−ｂ−１の使用を終了させることができる。これらのデバイスは、グループ１２０５−ａ−１から取り除くこと、オフラインになることができ、又は誤作動することがある。第１のチャネル１００５−ｂ−１を使用中のデバイス１１５の数が減少した場合は、チャネルにおける干渉レベルも低下する。その結果、基地局１０５−ｅは、ＲｏＴスレショルドを引き下げることができる。
【０１１８】
［０１３７］例示されるように、Ｍ２Ｍデバイス１２０５−ａ−２の第２のグループは、Ｍ２Ｍデバイス１２０５−ａ−１の第１のグループよりも基地局１０５−ｅから遠くに位置する。第２のチャネル１００５−ｂ−２は、より低いＲｏＴスレショルドを有し、基地局１０５−ｅからより遠くに位置するデバイス１１５用に予約することができる。低いＲｏＴスレショルドは、第２のチャネル１００５−ｂ−２において低い干渉レベルを維持することができる。さらに、低いスレショルドは、第２のグループ内のデバイスにそれらのデータパケットを低いデータレートで送信させることができ、他方、第１のグループ１２０５−ａ−１内のデバイス１１５は、第１のグループ１２０５−ａ−１のより高いＲｏＴスレショルドに起因してより高いデータレートで送信することができる。
【０１１９】
［０１３８］一実施形態においては、Ｍ２Ｍ無線ＷＡＮ内にＭ２Ｍデバイス１１５が初めて導入されたときには、基地局１０５−ｅ又はデバイス１１５自体は、デバイス１１５がいずれのチャネルを使用すべきであるかを決定することができる。例えば、Ｍ２Ｍデバイス１１５がオンラインになり及びデバイスの第２のグループ１２０５−ａ−２によって占められるエリア内に位置する場合は、基地局１５−ｅは、その新しいデバイスを第２の周波数チャネル１００５−ｂ−２に割り当てることができる。基地局１５−ｅは、新しいＭ２Ｍデバイス１１５から受信された逆方向リンク信号強度に基づいていずれのチャネルをデバイスに割り当てるべきかを決定することができる。デバイス１１５も、順方向リンク信号強度に基づいていずれのチャネルを使用すべきかを決定することが可能である。一実施形態においては、新しいデバイス１１５は、基地局１５−ｅの近くに又は遠くに位置しているかどうかを決定するために順方向リンクの強度を使用することができる。さらに、新しいデバイスは、Ｍ２Ｍ無線ＷＡＮの混雑レベルを推定し、推定された混雑がある一定のスレショルドよりも高い場合はより低いＲｏＴスレショルドを有する第２のチャネル１００５−ｂ−２を選択することができる。さらに、新しいデバイス１１５は、第１の周波数チャネル１００５−ｂ−１を用いて高いデータレートでデータパケットを送信することができる。新しいデバイス１１５が、パケットが成功裏に復号及び復調されたことを示すＡＣＫメッセージを基地局１５−ｅから受信しない場合は、新しいＭ２Ｍデバイス１１５は、（より低いＲｏＴを有する）第２のチャネルを使用するために（高いＲｏＴを有する）第１のチャネル１００５−ｂ−１から切り換わることができる。これで、新しいデバイス１１５は、より低いデータレートで第２のチャネルでパケットを送信することができる。
【０１２０】
［０１３９］図１３は、様々なＲｏＴスレショルドを有する周波数チャネルを用いて逆方向リンク通信を管理することによってＭ２Ｍデバイスの電力を節約するための方法１３００の一例を示したフローチャートである。明確化を目的として、方法１３００は、図１、２、３Ａ、３Ｂ、４Ａ、６、又は７において示される基地局１０５を参照して以下において説明される。一実装においては、マルチチャネルモジュール４５５は、以下において説明される機能を実行するために基地局１０５の機能的要素を制御するための１つ以上の組のコードを実行することができる。
【０１２１】
［０１４０］ブロック１３０５において、Ｍ２Ｍ無線ＷＡＮの動作周波数帯域は、少なくとも第１の周波数チャネル及び第２の周波数チャネルに分割することができる。一例においては、第１及び第２の周波数チャネルは、逆方向リンクでの通信のために使用することができる。ブロック１３１０において、第１の周波数チャネルに関して第１のＲｏＴスレショルドを設定することができる。ブロック１３１５において、第２の周波数チャネルに関して第２のＲｏＴスレショルドを設定することができる。第２のＲｏＴスレショルドは、第１のＲｏＴスレショルドよりも低いことができる。一構成においては、第２の周波数チャネルは、基地局との間で十分な信号強度を有さない無線ＷＡＮ内のＭ２Ｍデバイスによって使用することができる。その結果、これらのデバイスは、より低いＲｏＴスレショルドが第２の周波数チャネルに適用されることに起因してより少ない電力（及びより低いデータレート）で逆方向リンクで通信することができる。これらのデバイスは、逆方向リンクでデータパケットを送信するために追加の電力を要求する高い干渉レベルを有するチャネルで送信していないため、これらのデバイスによって電力を節約することができる。
【０１２２】
［０１４１］しかしながら、基地局との間で十分な信号強度を有するＭ２Ｍデバイスは、逆方向リンクで送信するために第１のチャネルを使用することができる。これらのデバイスは、より高いＲｏＴスレショルドに起因してより高い電力で送信することができる。従って、それらは、より高いデータレートで逆方向リンクでデータパケットを送信することもできる。
【０１２３】
［０１４２］従って、方法１３００は、逆方向リンクでの通信を管理することによってＭ２Ｍデバイスの電源の効率的な管理を提供することができる。方法１３００は、単なる１つの実装であること及び方法１３００の動作は、その他の実装が可能であるように再編又は変更することができることが注目されるべきである。
【０１２４】
［０１４３］図１４は、逆方向リンク通信で大きい経路損失を経験するデバイスに低いＲｏＴスレショルドを有するチャネルを割り当てることによってＭ２Ｍデバイスの電力を節約するための方法１４００の一例を示したフローチャートである。明確化を目的として、方法１４００は、図１、２、３Ａ、３Ｂ、４Ａ、６、又は７において示される基地局１０５を参照して以下において説明される。一実装においては、マルチチャネルモジュール４５５は、以下において説明される機能を実行するために基地局１０５の機能的要素を制御するための１つ以上の組のコードを実行することができる。
【０１２５】
［０１４４］ブロック１４０５において、Ｍ２Ｍ無線ＷＡＭの動作周波数帯域は、少なくとも第１の周波数チャネル及び第２の周波数チャネルに分割することができる。第１及び第２の周波数チャネルは、逆方向リンクでの通信のために使用することができる。ブロック１４１０において、第１の周波数チャネルに関して第１のＲｏＴスレショルドを設定することができる。ブロック１４１５において、第２の周波数チャネルに関して第２のＲｏＴスレショルドを設定することができる。第２のＲｏＴスレショルドは、第１のＲｏＴスレショルドよりも低いことができる。
【０１２６】
［０１４５］ブロック１４２０において、複数のＭ２Ｍデバイスからの１つ以上のＭ２Ｍデバイスの第１のグループは、第１の周波数チャネルを用いて逆方向リンクで送信するために識別することができる。ブロック１４２５において、複数のデバイスからの１つ以上のＭ２Ｍデバイスの第２のグループは、第２の周波数チャネルを用いて逆方向リンクで送信するために識別することができる。
【０１２７】
［０１４６］一実施形態においては、Ｍ２Ｍデバイスの第１のグループを識別することは、第１の地理上の位置内に位置する１つ以上のＭ２Ｍデバイスを識別することと、第２の地理上の位置内に位置する１つ以上のＭ２Ｍデバイスを識別することと、を含むことができる。一構成においては、第１の位置は、第２の位置よりも基地局に近いことができる。一例においては、第１の位置に位置するデバイスは、Ｍ２Ｍデバイスの第１のグループのメンバーとして識別することができ、第２の位置に位置するデバイスは、第２のグループの一部であることができる。
【０１２８】
［０１４７］一構成においては、Ｍ２Ｍデバイスのグループは、いずれのＭ２Ｍデバイスがデータレートスレショルドを満たすデータレートで逆方向リンクで以前に送信しているかを決定することによって識別することができる。スレショルドを満たすデータレートで以前に送信しているデバイスは、第１のグループのＭ２Ｍデバイスとして識別することができる。データレートスレショルドで送信していないデバイスは、第２のグループとして識別することができる。
【０１２９】
［０１４８］ブロック１４３０において、Ｍ２Ｍデバイスの第１及び第２のグループへのチャネル割り当てメッセージ。メッセージは、Ｍ２Ｍデバイス１１５が逆方向リンクで送信するためにいずれのチャネルを使用すべきかを示す命令を含むことができる。第１のグループ内にあるデバイス１１５は、より高いＲｏＴスレショルドを有する第１の周波数チャネルに割り当てることができ、他方、第２のグループ内のデバイス１１５は、より低いＲｏＴスレショルドを有する第２のチャネルに割り当てることができる。
【０１３０】
［０１４９］従って、方法１４００は、位置に基づいて基地局との間で低い信号強度を有するＭ２Ｍデバイスを識別し及び低いＲｏＴスレショルドを有するこれらのデバイス１１５に周波数チャネルを割り当てることによってＭ２Ｍデバイスの電力及びその他のリソースを節約することを提供することができる。方法１４００は、単なる１つの実装であること及び方法１３００の動作は、その他の実装が可能であるように再編又は変更することができることが注目されるべきである。
【０１３１】
［０１５０］図１５は、周波数チャネルのＲｏＴスレショルドを動的に変更することによってＭ２Ｍデバイスの電源を管理するための方法の一例を示したフローチャートである。明確化を目的として、方法１５００は、以下では、図１、２、３Ａ、３Ｂ、４Ａ、６、又は７において示される基地局１０５を参照して説明される。一実装においては、マルチチャネルモジュール４５５は、以下において説明される機能を実行するために基地局１０５の機能上の要素を制御するための１つ以上の組のコードを実行することができる。
【０１３２】
［０１５１］ブロック１５０５において、動作周波数は、複数の周波数チャネルに分割することができる。周波数チャネルは、ＣＤＭＡチャネルであることができる。ブロック１５１０において、第１の地理上の位置に位置する１つ以上のＭ２Ｍデバイスを識別することができる。ブロック１５１５において、第２の地理上の位置に位置する１つ以上のＭ２Ｍデバイスを識別することもできる。一構成においては、第２の位置は、第１の位置よりも基地局１０５から遠い距離に位置することができる。
【０１３３】
［０１５２］ブロック１５２０において、第１の地理上の位置内に位置する１つ以上のＭ２Ｍデバイスを第１の周波数チャネルに割り当てることができる。第１のチャネルは、第１のＲｏＴスレショルドを含むことができる。ブロック１５２５において、第２の地理上の位置内に位置する１つ以上のＭ２Ｍデバイスを第２の周波数チャネルに割り当てることができる。第２のチャネルは、第２のＲｏＴスレショルドを含むことができる。一構成においては、第２のＲｏＴスレショルドは、第１のＲｏＴスレショルドよりも低いことができる。
【０１３４】
［０１５３］ブロック１５３０において、第１の位置内に位置するＭ２Ｍデバイスの数が変化しているかどうかに関する決定を行うことができる。その数は、１つ以上のＭ２Ｍデバイスが誤動作すること、オフラインにされること、第１の位置から出て移動されること、等に起因して変化することがある。変化が生じていないと決定された場合は、方法１５００は、第１の位置内のデバイスの数が変化しているかどうかの決定を続けることができる。しかしながら、数が変化していると決定された場合は、第１の位置においてＭ２Ｍデバイス数が増加するのに応じて第１のＲｏＴスレショルドが動的に増大することができる。代替として、第１の位置においてＭ２Ｍデバイス数が減少するのに応じて第１のＲｏＴスレショルドが動的に低下することができる。従って、（高いＲｏＴスレショルドを有する）第１のチャネルを使用するＭ２Ｍデバイスの数が減少するのに応じて、第１のチャネルにおける干渉信号も減少しているため、ＲｏＴスレショルドも低下することができる。第１のＲｏＴスレショルドの低下は、その結果として、Ｍ２Ｍデバイス１１５が逆方向リンクでデータパケットを送信するための電力量を低減させるために依然として第１の周波数チャネルを使用することができる。
【０１３５】
［０１５４］従って、方法１５００は、周波数チャネルのＲｏＴスレショルドを動的に変更することによってＭ２Ｍデバイス１１５の電力の効率的な管理を提供することができる。方法１５００は、単なる１つの実装であること及び方法１５００の動作は、その他の実装が可能であるように再編又は変更することができることが注目されるべきである。
【０１３６】
［０１５５］図１６は、周波数チャネルのＲｏＴスレショルドに基づいて使用すべき周波数チャネルを選択することによってＭ２Ｍデバイスの電力を管理するための方法１６００の一例を示したフローチャートである。明確化を目的として、方法１６００は、以下では、図１、２、３Ａ、３Ｂ、５Ａ、８、又は９において示されるＭ２Ｍデバイス１１５を参照して説明される。一実装においては、チャネル識別モジュール５２５は、以下において説明される機能を実行するために基地局１０５の機能上の要素を制御するための１つ以上の組のコードを実行することができる。
【０１３７】
［０１５６］ブロック１６０５において、逆方向リンクでの通信のために使用するために第１の周波数チャネル及び第２の周波数チャネルを識別することができる。第１の周波数チャネルは、第１のＲｏＴスレショルドを含むことができる。第２の周波数チャネルは、第２のＲｏＴスレショルドを含むことができる。一構成においては、第２のＲｏＴスレショルドは、第１のＲｏＴスレショルドよりも低いことができる。ブロック１６１０において、第１の周波数チャネル又は第２の周波数チャネルを用いて逆方向リンクで通信が生じることができる。通信のために使用されるチャネルは、チャネルに関して設定されたＲｏＴレベルに依存することができる。
【０１３８】
［０１５７］従って、方法１６００は、周波数チャネルのＲｏＴスレショルドに基づいてそのチャネルを使用することによるＭ２Ｍデバイス１１５の効率的な電力の管理を提供することができる。方法１６００は、単なる１つの実装であること及び方法１６００の動作は、その他の実装が可能であるように再編又は変更することができることが注目されるべきである。
【０１３９】
［０１５８］図１７は、逆方向リンクでの送信するために使用されるデータレートに基づいて周波数チャネルのＲｏＴスレショルドに基づいて使用すべき周波数チャネルを選択することによってＭ２Ｍデバイスの電力を管理するための方法１７００の一例を示したフローチャートである。明確化を目的として、方法１７００は、以下では、図１、２、３Ａ、３Ｂ、５Ａ、８、又は９において示されるＭ２Ｍデバイス１１５を参照して説明される。一実装においては、チャネル識別モジュール５２５は、以下において説明される機能を実行するために基地局１０５の機能上の要素を制御するための１つ以上の組のコードを実行することができる。
【０１４０】
［０１５９］ブロック１７０５において、逆方向リンクでの通信のために使用するために第１の周波数チャネル及び第２の周波数チャネルを識別することができる。第１の周波数チャネルは、第１のＲｏＴスレショルドを含むことができる。第２の周波数チャネルは、第２のＲｏＴスレショルドを含むことができる。一構成においては、第２のＲｏＴスレショルドは、第１のＲｏＴスレショルドよりも低いことができる。ブロック１７１０において、第１の周波数チャネルを用いて第１のデータレートでデータを送信することができる。ブロック１７１５において、順方向リンクでＡＣＫメッセージが受信されたかどうかに関する決定を行うことができる。ＡＣＫメッセージは、データが基地局によって復号及び復調されたことを示すことができる。ＡＣＫメッセージが受信されたと決定された場合は、より高いＲｏＴスレショルドを有する第１の周波数チャネルを用いて第１のデータレートでデータを送信し続けることができる。
【０１４１】
［０１６０］しかしながら、ＡＣＫメッセージが受信されないことが決定された場合は、データは、ブロック１７２０において第２の周波数チャネルを用いて第２のデータレートで再送信することができる。一実施形態においては、第２のデータレートは、第１のデータレートよりも低いことができる。
【０１４２】
［０１６１］従って、方法１７００は、周波数チャネルのＲｏＴスレショルドに基づいてその周波数チャネルを使用し及びある一定のデータレートでデータパケットを送信することによってＭ２Ｍデバイス１１５の電力の効率的な管理を提供することができる。方法１７００は、単なる１つの実装であること及び方法１７００の動作は、その他の実装が可能であるように再編又は変更することができることが注目されるべきである。
【０１４３】
［０１６２］ここにおいて説明される技法は、様々な無線通信システム、例えば、Ｍ２Ｍシステム、セルラー無線システム、ピア−・ツー・ピア−無線通信、無線ローカルアクセスネットワーク（ＷＬＡＮ）、アドホックネットワーク、衛星通信システム、及びその他のシステム、に関して使用することができる。用語“システム”及び“ネットワーク”は、しばしば互換可能な形で使用される。これらの無線通信システムは、無線システムにおける多元接続のための様々な無線通信技術、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一搬送波ＦＤＭＡ（ＳＣ−ＦＤＭＡ）、及び／又はその他の技術、を採用することができる。概して、無線通信は、無線アクセス技術（ＲＡＴ）と呼ばれる１つ以上の無線通信技術の標準化された実装により行われる。無線アクセス技術を実装する無線通信システム又はネットワークは、無線アクセスネットワーク（ＲＡＮ）と呼ぶことができる。
【０１４４】
［０１６３］添付された図面と関係させて上述される発明を実施するための形態は、典型的な実施形態について説明するものであり、実装することができる又は請求項の範囲内にある唯一の実施形態を表すものではない。この説明全体を通じて用いられる用語“典型的な”は、“１つの例、事例、又は実例を提供すること”を意味し、その他の実施形態よりも“好ましい”又は“有利である”ことを意味するわけではない。発明を実施するための形態は、説明される技法に関する理解を提供することを目的とした具体的な詳細を含む。しかしながら、これらの技法は、これらの具体的な詳細なしで実践することができる。幾つかの例では、非常によく知られた構造及びデバイスは、説明される実施形態の概念を曖昧にすることを回避するためにブロック図形で示される。
【０１４５】
［０１６４］情報及び信号は、様々な異なる技術及び技法のうちのいずれかを用いて表すことができる。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１４６】
［０１６５］ここにおける開示と関係させて説明される様々な例示的なブロック及びモジュールは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１４７】
［０１６６］ここにおいて説明される機能は、ハードウェア、プロセッサによって実行されるソフトウェア、ファームウェア、又はそれらの組み合わせにおいて実装することができる。プロセッサによって実行されるソフトウェアにおいて実装される場合は、これらの機能は、コンピュータによって読み取り可能な媒体において１つ以上の命令又はコードとして格納すること又は送信することができる。その他の例及び実装は、本開示及び添付される請求項の範囲及び精神内にある。例えば、ソフトウェアの性質に起因して、上述される機能は、プロセッサによって実行されるソフトウェア、ハードウェア、ファームウェア、ハードワイヤリング、又はこれらの組み合わせを用いて実装することができる。機能を実装する特徴は、様々な位置に物理的に配置することができ、機能の一部分が異なる物理的位置において実装されるように分布することを含む。さらに、請求項内を含むここにおいて使用される場合において、“〜のうちの少なくとも１つの”によって始まる項目のリストにおいて使用される“又は”は、離接的リストを示し、従って、例えば、“Ａ、Ｂ、又はＣのうちの少なくとも１つの”のリストは、Ａ又はＢ又はＣ又はＡＢ又はＡＣ又はＢＣ又はＡＢＣ（すなわち、Ａ及びＢ及びＣ）を意味する。
【０１４８】
［０１６７］コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用コンピュータ又は専用コンピュータによってアクセス可能なあらゆる利用可能な媒体であることができる。例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、その同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められる。
【０１４９】
［０１６８］本開示に関する前の説明は、当業者が本開示を製造又は使用することを可能にするために提供される。本開示に対する様々な修正は、当業者にとって容易に明確になるであろう、及びここにおいて定められる一般原理は、本発明の精神又は適用範囲を逸脱せずにその他の変形に対しても適用することができる。本開示全体を通じて、用語“例”又は“典型的な”は、例を示すものであり、挙げられる例が優先されることを意味するものでも要求するものでもない。以上のように、本開示は、ここにおいて示される例及び設計に限定されるものではなく、ここにおいて開示される原理及び新規の特徴に一致する限りにおいて最も広範な適用範囲が認められるべきである。
【図１】
2016508333.tif 000003
【図２】
2016508333.tif 000004
【図３Ａ】
2016508333.tif 000005
【図３Ｂ】
2016508333.tif 000006
【図４Ａ】
2016508333.tif 000007
【図４Ｂ】
2016508333.tif 000008
【図５Ａ】
2016508333.tif 000009
【図５Ｂ】
2016508333.tif 000010
【図６】
2016508333.tif 000011
【図７】
2016508333.tif 000012
【図８】
2016508333.tif 000013
【図９】
2016508333.tif 000014
【図１０】
2016508333.tif 000015
【図１１】
2016508333.tif 000016
【図１２】
2016508333.tif 000017
【図１３】
2016508333.tif 000018
【図１４】
2016508333.tif 000019
【図１５】
2016508333.tif 000020
【図１６】
2016508333.tif 000021
【図１７】
2016508333.tif 000022
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
前記第１の周波数チャネルに関する第１のライズオーバサーマル（ＲｏＴ）スレショルドを設定することと、
前記第２の周波数チャネルに関する第２のＲｏＴスレショルドを設定することであって、前記第２のＲｏＴスレショルドは、前記第１のＲｏＴスレショルドよりも低いことと、
前記第１の周波数チャネルを用いて前記逆方向リンクで送信するために複数のＭ２Ｍデバイスからの１つ以上のＭ２Ｍデバイスの第１のグループを識別することと、
前記第２の周波数チャネルを用いて前記逆方向リンクで送信するために前記複数のＭ２Ｍデバイスからの１つ以上のＭ２Ｍデバイスの第２のグループを識別することと、を備える、方法。
【請求項２】
Ｍ２Ｍデバイスの前記第１のグループ及び第２のグループにチャネル割り当てメッセージをブロードキャストすることをさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項１に記載の方法。
【請求項３】
１つ以上のＭ２Ｍデバイスの前記第１のグループ及び第２のグループを識別することは、
前記複数のＭ２Ｍデバイスから、第１の地理上のエリア内に位置する１つ以上のＭ２Ｍデバイスを識別することと、
前記複数のＭ２Ｍデバイスから、第２の地理上のエリア内に位置する１つ以上のＭ２Ｍデバイスを識別することと、を備える請求項１に記載の方法。
【請求項４】
前記第１のＲｏＴスレショルドを有する前記第１の周波数チャネルに前記第１の地理上のエリア内に位置する前記１つ以上のＭ２Ｍデバイスを割り当てることと、
前記第２のＲｏＴスレショルドを有する前記第２の周波数チャネルに前記第２の地理上のエリア内に位置する前記１つ以上のＭ２Ｍデバイスを割り当てることと、をさらに備え、前記第２の地理上のエリアは、順方向リンクで前記Ｍ２Ｍデバイスと通信中のデバイスからの経路損失が前記第１の地理上のエリアよりも大きい請求項３に記載の方法。
【請求項５】
１つ以上のＭ２Ｍデバイスの前記第１のグループ及び第２のグループを識別することは、
前記複数のＭ２Ｍデバイスから、データレートスレショルドを満たすデータレートで前記逆方向リンクで以前に送信している１つ以上のＭ２Ｍデバイスを識別することと、
前記複数のＭ２Ｍデバイスから、前記データレートスレショルドを満たさないデータレートで前記逆方向リンクで以前に送信している１つ以上のＭ２Ｍデバイスを識別することと、を備える請求項１に記載の方法。
【請求項６】
前記データレートスレショルドを満たすデータレートで前記逆方向リンクで以前に送信している前記１つ以上のＭ２Ｍデバイスを、前記第１のＲｏＴスレショルドを有する前記第１の周波数チャネルに割り当てることと、
前記データレートスレショルドを満たさないデータレートで前記逆方向リンクで以前に送信している前記１つ以上のＭ２Ｍデバイスを、前記第２のＲｏＴスレショルドを有する前記第２の周波数チャネルに割り当てることと、をさらに備える請求項５に記載の方法。
【請求項７】
１つ以上のＭ２Ｍデバイスの前記第１のグループ及び第２のグループを識別することは、
前記複数のＭ２Ｍデバイスの前記Ｍ２Ｍデバイスのうちの１つ以上において受信された順方向リンクの強度を推定することを備える請求項１に記載の方法。
【請求項８】
１つ以上のＭ２Ｍデバイスの前記第１のグループを、前記第１のＲｏＴスレショルドを有する前記第１の周波数チャネルに割り当てることと、
１つ以上のＭ２Ｍデバイスの前記第２のグループを、前記第２のＲｏＴスレショルドを有する前記第２の周波数チャネルに割り当てることと、をさら備え、前記第２のグループにおいて受信された前記順方向リンクの前記推定される強度は、前記第１のグループにおいて受信された前記順方向リンクの前記推定される強度よりも低い請求項７に記載の方法。
【請求項９】
前記第１又は第２の周波数チャネルに関する前記第１又は第２のＲｏＴスレショルドを調整すべきかどうかを決定することをさらに備える請求項１に記載の方法。
【請求項１０】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項９に記載の方法。
【請求項１１】
前記第１の周波数チャネルを使用しているＭ２Ｍデバイスの前記数が減少していると決定した時点で前記第１の周波数チャネルの前記第１のＲｏＴスレショルドを動的に引き下げることをさらに備える請求項１０に記載の方法。
【請求項１２】
前記第１の周波数チャネルを使用しているＭ２Ｍデバイスの前記数が増加していると決定した時点で前記第１の周波数チャネルの前記第１のＲｏＴスレショルドを動的に引き上げることをさらに備える請求項１０に記載の方法。
【請求項１３】
前記第１及び第２の周波数チャネルを使用する前記逆方向リンクでの通信のために符号分割多元接続（ＣＤＭＡ）を実装することをさらに備える請求項１に記載の方法。
【請求項１４】
ＲｏＴスレショルドは、周波数チャネルの熱雑音を上回る前記周波数チャネル上の信号干渉の量を表す請求項１に記載の方法。
【請求項１５】
マシン−マシン（Ｍ２Ｍ）無線ワイドエリアネットワーク（ＷＡＮ）における無線通信のために構成された基地局であって、
プロセッサと、
前記プロセッサと電子的通信状態にあるメモリと、
前記メモリ内に格納された命令と、を備え、前記命令は、
前記Ｍ２Ｍ無線ＷＡＮの動作周波数帯域を少なくとも第１の周波数チャネル及び第２の周波数チャネルに分割するために前記プロセッサによって実行可能であり、前記第１及び第２の周波数チャネルは、逆方向リンクでの通信のために使用され、
前記第１の周波数チャネルに関して第１のライズオーバサーマル（ＲｏＴ）スレショルドを設定するために前記プロセッサによって実行可能であり、
前記第２の周波数チャネルに関する第２のＲｏＴスレショルドを設定するために前記プロセッサによって実行可能であり、前記第２のＲｏＴスレショルドは、前記第１のＲｏＴスレショルドよりも低い、
前記第１の周波数チャネルを用いて前記逆方向リンクで送信するために複数のＭ２Ｍデバイスからの１つ以上のＭ２Ｍデバイスの第１のグループを識別するために前記プロセッサによって実行可能であり、
前記第２の周波数チャネルを用いて前記逆方向リンクで送信するために前記複数のＭ２Ｍデバイスからの１つ以上のＭ２Ｍデバイスの第２のグループを識別するために前記プロセッサによって実行可能である、基地局。
【請求項１６】
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項１５に記載の基地局。
【請求項１７】
前記命令は、
前記第１又は第２の周波数チャネルに関して前記第１又は第２のＲｏＴスレショルドを調整すべきかどうかを決定するために前記プロセッサによってさらに実行可能である請求項１５に記載の基地局。
【請求項１８】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項１７に記載の基地局。
【請求項１９】
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能である請求項１８に記載の基地局。
【請求項２０】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項１８に記載の基地局。
【請求項２１】
前記命令は、
前記第１及び第２の周波数チャネルを使用する前記逆方向リンクでの通信のために符号分割多元接続（ＣＤＭＡ）を実装するために前記プロセッサによってさらに実行可能である請求項１５に記載の基地局。
【請求項２２】
ＲｏＴスレショルドは、周波数チャネルの熱雑音を上回る前記周波数チャネル上の信号干渉の量を表す請求項１５に記載の基地局。
【請求項２３】
マシン−マシン（Ｍ２Ｍ）無線ワイドエリアネットワーク（ＷＡＮ）における無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、逆方向リンクでの通信のために使用される手段と、
前記第１の周波数チャネルに関する第１のライズオーバサーマル（ＲｏＴ）スレショルドを設定するための手段と、
前記第２の周波数チャネルに関する第２のＲｏＴスレショルドを設定するための手段であって、前記第２のＲｏＴスレショルドは、前記第１のＲｏＴスレショルドよりも低い手段と、
前記第１の周波数チャネルを用いて前記逆方向リンクで送信するために複数のＭ２Ｍデバイスからの１つ以上のＭ２Ｍデバイスの第１のグループを識別するための手段と、
前記第２の周波数チャネルを用いて前記逆方向リンクで送信するために前記複数のＭ２Ｍデバイスからの１つ以上のＭ２Ｍデバイスの第２のグループを識別するための手段と、を備える、装置。
【請求項２４】
Ｍ２Ｍデバイスの前記第１のグループ及び第２のグループにチャネル割り当てメッセージをブロードキャストするための手段をさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項２３に記載の装置。
【請求項２５】
前記第１又は第２の周波数チャネルに関する前記第１又は第２のＲｏＴスレショルドを調整すべきかどうかを決定するための手段をさらに備える請求項２３に記載の装置。
【請求項２６】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項２５に記載の装置。
【請求項２７】
前記第１の周波数チャネルを使用しているＭ２Ｍデバイスの前記数が減少していると決定した時点で前記第１の周波数チャネルの前記第１のＲｏＴスレショルドを動的に引き下げるための手段をさらに備える請求項２６に記載の装置。
【請求項２８】
前記第１の周波数チャネルを使用しているＭ２Ｍデバイスの前記数が増加していると決定した時点で前記第１の周波数チャネルの前記第１のＲｏＴスレショルドを動的に引き上げるための手段をさらに備える請求項２６に記載の装置。
【請求項２９】
マシン−マシン（Ｍ２Ｍ）無線ワイドエリアネットワーク（ＷＡＮ）における無線通信を管理するためのコンピュータプログラム製品であって、
前記Ｍ２Ｍ無線ＷＡＮの動作周波数帯域を少なくとも第１の周波数チャネル及び第２の周波数チャネルに分割するためにプロセッサによって実行可能な命令であって、前記第１及び第２の周波数チャネルは、逆方向リンクでの通信のために使用される命令、
前記第１の周波数チャネルに関して第１のライズオーバサーマル（ＲｏＴ）スレショルドを設定するために前記プロセッサによって実行可能な命令、
前記第２の周波数チャネルに関する第２のＲｏＴスレショルドを設定するために前記プロセッサによって実行可能な命令であって、前記第２のＲｏＴスレショルドは、前記第１のＲｏＴスレショルドよりも低い命令、
前記第１の周波数チャネルを用いて前記逆方向リンクで送信するために複数のＭ２Ｍデバイスからの１つ以上のＭ２Ｍデバイスの第１のグループを識別するために前記プロセッサによって実行可能な命令、及び
前記第２の周波数チャネルを用いて前記逆方向リンクで送信するために前記複数のＭ２Ｍデバイスからの１つ以上のＭ２Ｍデバイスの第２のグループを識別するために前記プロセッサによって実行可能な命令を格納している非一時的なコンピュータによって読み取り可能な媒体を備える、コンピュータプログラム製品。
【請求項３０】
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項２９に記載のコンピュータプログラム製品。
【請求項３１】
前記命令は、
前記第１又は第２の周波数チャネルに関して前記第１又は第２のＲｏＴスレショルドを調整すべきかどうかを決定するために前記プロセッサによってさらに実行可能である請求項２９に記載のコンピュータプログラム製品。
【請求項３２】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項３１に記載のコンピュータプログラム製品。
【請求項３３】
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能である請求項３２に記載のコンピュータプログラム製品。
【請求項３４】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項３２に記載のコンピュータプログラム製品。
【請求項３５】
マシン−マシン（Ｍ２Ｍ）無線ワイドエリアネットワーク（ＷＡＮ）における逆方向リンクでの無線通信のための方法であって、
前記逆方向リンクでの通信のために使用すべき第１の周波数チャネル及び第２の周波数チャネルを識別することであって、前記第１の周波数チャネルは、第１のライズオーバサーマル（ＲｏＴ）スレショルドを備え、前記第２の周波数チャネルは、第２のＲｏＴスレショルドを備え、前記第２のＲｏＴスレショルドは、前記第１のＲｏＴスレショルドよりも低いことと、
前記第１の周波数チャネル又は前記第２の周波数チャネルを用いて前記逆方向リンクで通信することと、を備える、方法。
【請求項３６】
チャネル割り当てメッセージのブロードキャストを受信することであって、前記メッセージは、前記逆方向リンクでの通信のために前記第１の周波数チャネル又は前記第２の周波数チャネルのいずれを使用すべきかを示すことをさらに備える請求項３５に記載の方法。
【請求項３７】
前記逆方向リンクでの通信のために使用するために前記第１の周波数チャネル又は前記第２の周波数チャネルを選択することをさらに備える請求項３５に記載の方法。
【請求項３８】
前記第１又は第２の周波数チャネルを選択することは、
前記第１の周波数チャネルを用いて第１のデータレートでデータを送信することと、
前記第１のデータレートでの前記データの成功裏の送信を示す肯定応答（ＡＣＫ）メッセージをモニタリングすることと、
前記ＡＣＫメッセージを受信できない時点で、前記第２の周波数チャネルを用いて第２のデータレートで前記データを再送信することであって、前記第２のデータレートは、前記第１のデータレートよりも低いことと、を備える請求項３７に記載の方法。
【請求項３９】
前記第１又は第２の周波数チャネルを選択することは、
基地局を起源とする順方向リンクの信号強度を推定することと、
前記順方向リンクの前記推定された信号強度に少なくとも部分的に基づいて前記第１の周波数チャネル又は前記第２の周波数チャネルを選択することと、を備える請求項３７に記載の方法。
【請求項４０】
前記第１又は第２の周波数チャネルを選択することは、
周波数チャネル容量メッセージを受信することであって、前記周波数チャネル容量メッセージは、前記第１の周波数チャネル及び前記第２の周波数チャネルに関する利用可能な容量を示すことと、
前記周波数チャネル容量メッセージによって示された各チャネルの前記利用可能な容量に少なくとも部分的に基づいて前記第１の周波数チャネル又は前記第２の周波数チャネルを選択することと、を備える請求項３７に記載の方法。
【手続補正２】
【補正対象書類名】明細書
【補正対象項目名】０１４９
【補正方法】変更
【補正の内容】
【０１４９】
［０１６８］本開示に関する前の説明は、当業者が本開示を製造又は使用することを可能にするために提供される。本開示に対する様々な修正は、当業者にとって容易に明確になるであろう、及びここにおいて定められる一般原理は、本発明の精神又は適用範囲を逸脱せずにその他の変形に対しても適用することができる。本開示全体を通じて、用語“例”又は“典型的な”は、例を示すものであり、挙げられる例が優先されることを意味するものでも要求するものでもない。以上のように、本開示は、ここにおいて示される例及び設計に限定されるものではなく、ここにおいて開示される原理及び新規の特徴に一致する限りにおいて最も広範な適用範囲が認められるべきである。
以下に、出願当初の特許請求の範囲に記載された発明を付記する。
［Ｃ１］
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２のチャネルは、逆方向リンクでの通信のために使用されることと、
前記第１の周波数チャネルに関する第１のライズオーバサーマル（ＲｏＴ）を設定することと、
前記第２の周波数チャネルに関する第２のＲｏＴスレショルドを設定することであって、前記第２のＲｏＴスレショルドは、前記第１のＲｏＴスレショルドよりも低いことと、を備える、方法。
［Ｃ２］
前記第１の周波数チャネルを用いて前記逆方向リンクで送信するために複数のＭ２Ｍデバイスからの１つ以上のＭ２Ｍデバイスの第１のグループを識別することと、
前記第２の周波数チャネルを用いて前記逆方向リンクで送信するために複数のＭ２Ｍデバイスからの１つ以上のＭ２Ｍデバイスの第２のグループを識別することと、をさらに備えるＣ１に記載の方法。
［Ｃ３］
Ｍ２Ｍデバイスの前記第１のグループ及び第２のグループにチャネル割り当てメッセージをブロードキャストすることをさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせるＣ２に記載の方法。
［Ｃ４］
１つ以上のＭ２Ｍデバイスの前記第１のグループ及び第２のグループを識別することは、
前記複数のＭ２Ｍデバイスから、第１の地理上のエリア内に位置する１つ以上のＭ２Ｍデバイスを識別することと、
前記複数のＭ２Ｍデバイスから、第２の地理上のエリア内に位置する１つ以上のＭ２Ｍデバイスを識別することと、を備えるＣ２に記載の方法。
［Ｃ５］
前記第１のＲｏＴスレショルドを有する前記第１の周波数チャネルに前記第１の地理上のエリア内に位置する前記１つ以上のＭ２Ｍデバイスを割り当てることと、
前記第２のＲｏＴスレショルドを有する前記第２の周波数チャネルに前記第２の地理上のエリア内に位置する前記１つ以上のＭ２Ｍデバイスを割り当てることと、をさらに備え、前記第２の地理上のエリアは、順方向リンクで前記Ｍ２Ｍデバイスと通信中のデバイスからの経路損失が前記第１の地理上のエリアよりも大きいＣ４に記載の方法。
［Ｃ６］
１つ以上のＭ２Ｍデバイスの前記第１のグループ及び第２のグループを識別することは、
前記複数のＭ２Ｍデバイスから、データレートスレショルドを満たすデータレートで前記逆方向リンクで以前に送信している１つ以上のＭ２Ｍデバイスを識別することと、
前記複数のＭ２Ｍデバイスから、前記データレートスレショルドを満たさないデータレートで前記逆方向リンクで以前に送信している１つ以上のＭ２Ｍデバイスを識別することと、を備えるＣ２に記載の方法。
［Ｃ７］
前記データレートスレショルドを満たすデータレートで前記逆方向リンクで以前に送信している前記１つ以上のＭ２Ｍデバイスを、前記第１のＲｏＴスレショルドを有する前記第１の周波数チャネルに割り当てることと、
前記データレートスレショルドを満たさないデータレートで前記逆方向リンクで以前に送信している前記１つ以上のＭ２Ｍデバイスを、前記第２のＲｏＴスレショルドを有する前記第２の周波数チャネルに割り当てることと、をさらに備えるＣ６に記載の方法。
［Ｃ８］
１つ以上のＭ２Ｍデバイスの前記第１のグループ及び第２のグループを識別することは、
前記複数のＭ２Ｍデバイスの前記Ｍ２Ｍデバイスのうちの１つ以上において受信された順方向リンクの強度を推定することを備えるＣ２に記載の方法。
［Ｃ９］
１つ以上のＭ２Ｍデバイスの前記第１のグループを、前記第１のＲｏＴスレショルドを有する前記第１の周波数チャネルに割り当てることと、
１つ以上のＭ２Ｍデバイスの前記第２のグループを、前記第２のＲｏＴスレショルドを有する前記第２の周波数チャネルに割り当てることと、をさら備え、前記第２のグループにおいて受信された前記順方向リンクの前記推定される強度は、前記第１のグループにおいて受信された前記順方向リンクの前記推定される強度よりも低いＣ８に記載の方法。
［Ｃ１０］
前記第１又は第２の周波数チャネルに関する前記第１又は第２のＲｏＴスレショルドを調整すべきかどうかを決定することをさらに備えるＣ１に記載の方法。
［Ｃ１１］
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づくＣ１０に記載の方法。
［Ｃ１２］
前記第１の周波数チャネルを使用しているＭ２Ｍデバイスの前記数が減少していると決定した時点で前記第１の周波数チャネルの前記第１のＲｏＴスレショルドを動的に引き下げることをさらに備えるＣ１１に記載の方法。
［Ｃ１３］
前記第１の周波数チャネルを使用しているＭ２Ｍデバイスの前記数が増加していると決定した時点で前記第１の周波数チャネルの前記第１のＲｏＴスレショルドを動的に引き上げることをさらに備えるＣ１１に記載の方法。
［Ｃ１４］
前記第１及び第２の周波数チャネルを使用する前記逆方向リンクでの通信のために符号分割多元接続（ＣＤＭＡ）を実装することをさらに備えるＣ１に記載の方法。
［Ｃ１５］
ＲｏＴスレショルドは、周波数チャネルの熱雑音を上回る前記周波数チャネル上の信号干渉の量を表すＣ１に記載の方法。
［Ｃ１６］
マシン−マシン（Ｍ２Ｍ）無線ワイドエリアネットワーク（ＷＡＮ）における無線通信のために構成された基地局であって、
プロセッサと、
前記プロセッサと電子的通信状態にあるメモリと、
前記メモリ内に格納された命令と、を備え、前記命令は、
前記Ｍ２Ｍ無線ＷＡＮの動作周波数帯域を少なくとも第１の周波数チャネル及び第２の周波数チャネルに分割するために前記プロセッサによって実行可能であり、前記第１及び第２の周波数チャネルは、逆方向リンクでの通信のために使用され、
前記第１の周波数チャネルに関して第１のライズオーバサーマル（ＲｏＴ）を設定するために前記プロセッサによって実行可能であり、
前記第２の周波数チャネルに関する第２のＲｏＴスレショルドを設定するために前記プロセッサによって実行可能であり、前記第２のＲｏＴスレショルドは、前記第１のＲｏＴスレショルドよりも低い、基地局。
［Ｃ１７］
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせるＣ１６に記載の基地局。
［Ｃ１８］
前記命令は、
前記第１又は第２の周波数チャネルに関して前記第１又は第２のＲｏＴスレショルドを調整すべきかどうかを決定するために前記プロセッサによってさらに実行可能であるＣ１６に記載の基地局。
［Ｃ１９］
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づくＣ１８に記載の基地局。
［Ｃ２０］
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能であるＣ１９に記載の基地局。
［Ｃ２１］
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能であるＣ１９に記載の基地局。
［Ｃ２２］
前記命令は、
前記第１及び第２の周波数チャネルを使用する前記逆方向リンクでの通信のために符号分割多元接続（ＣＤＭＡ）を実装するために前記プロセッサによってさらに実行可能であるＣ１６に記載の基地局。
［Ｃ２３］
ＲｏＴスレショルドは、周波数チャネルの熱雑音を上回る前記周波数チャネル上の信号干渉の量を表すＣ１６に記載の基地局。
［Ｃ２４］
マシン−マシン（Ｍ２Ｍ）無線ワイドエリアネットワーク（ＷＡＮ）における無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２のチャネルは、逆方向リンクでの通信のために使用される手段と、
前記第１の周波数チャネルに関する第１のライズオーバサーマル（ＲｏＴ）スレショルドを設定するための手段と、
前記第２の周波数チャネルに関する第２のＲｏＴスレショルドを設定するための手段であって、前記第２のＲｏＴスレショルドは、前記第１のＲｏＴスレショルドよりも低い手段と、を備える、装置。
［Ｃ２５］
Ｍ２Ｍデバイスの前記第１のグループ及び第２のグループにチャネル割り当てメッセージをブロードキャストするための手段をさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせるＣ２４に記載の装置。
［Ｃ２６］
前記第１又は第２の周波数チャネルに関する前記第１又は第２のＲｏＴスレショルドを調整すべきかどうかを決定するための手段をさらに備えるＣ２４に記載の装置。
［Ｃ２７］
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づくＣ２６に記載の装置。
［Ｃ２８］
前記第１の周波数チャネルを使用しているＭ２Ｍデバイスの前記数が減少していると決定した時点で前記第１の周波数チャネルの前記第１のＲｏＴスレショルドを動的に引き下げるための手段をさらに備えるＣ２７に記載の装置。
［Ｃ２９］
前記第１の周波数チャネルを使用しているＭ２Ｍデバイスの前記数が増加していると決定した時点で前記第１の周波数チャネルの前記第１のＲｏＴスレショルドを動的に引き上げるための手段をさらに備えるＣ２７に記載の装置。
［Ｃ３０］
マシン−マシン（Ｍ２Ｍ）無線ワイドエリアネットワーク（ＷＡＮ）における無線通信を管理するためのコンピュータプログラム製品であって、
前記Ｍ２Ｍ無線ＷＡＮの動作周波数帯域を少なくとも第１の周波数チャネル及び第２の周波数チャネルに分割するために前記プロセッサによって実行可能な命令であって、前記第１及び第２の周波数チャネルは、逆方向リンクでの通信のために使用される命令、
前記第１の周波数チャネルに関して第１のライズオーバサーマル（ＲｏＴ）を設定するために前記プロセッサによって実行可能な命令、及び
前記第２の周波数チャネルに関する第２のＲｏＴスレショルドを設定するために前記プロセッサによって実行可能な命令であって、前記第２のＲｏＴスレショルドは、前記第１のＲｏＴスレショルドよりも低い命令、を格納している非一時的なコンピュータによって読み取り可能な媒体を備える、コンピュータプログラム製品。
［Ｃ３１］
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせるＣ３０に記載のコンピュータプログラム製品。
［Ｃ３２］
前記命令は、
前記第１又は第２の周波数チャネルに関して前記第１又は第２のＲｏＴスレショルドを調整すべきかどうかを決定するために前記プロセッサによってさらに実行可能であるＣ３０に記載のコンピュータプログラム製品。
［Ｃ３３］
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づくＣ３２に記載のコンピュータプログラム製品。
［Ｃ３４］
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能であるＣ３３に記載のコンピュータプログラム製品。
［Ｃ３５］
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能であるＣ３３に記載のコンピュータプログラム製品。
［Ｃ３６］
マシン−マシン（Ｍ２Ｍ）無線ワイドエリアネットワーク（ＷＡＮ）における逆方向リンクでの無線通信のための方法であって、
前記逆方向リンクでの通信のために使用すべき第１の周波数チャネル及び第２の周波数チャネルを識別することであって、前記第１の周波数チャネルは、第１のライズオーバサーマル（ＲｏＴ）スレショルドを備え、前記第２の周波数チャネルは、第２のＲｏＴスレショルドを備え、前記第２のＲｏＴスレショルドは、前記第１のＲｏＴスレショルドよりも低いことと、
前記第１の周波数チャネル又は前記第２の周波数チャネルを用いて前記逆方向リンクで通信することと、を備える、方法。
［Ｃ３７］
チャネル割り当てメッセージのブロードキャストを受信することであって、前記メッセージは、前記逆方向リンクでの通信のために前記第１の周波数チャネル又は前記第２の周波数チャネルのいずれを使用すべきかを示すことをさらに備えるＣ３６に記載の方法。
［Ｃ３８］
前記逆方向リンクでの通信のために使用するために前記第１の周波数チャネル又は前記第２の周波数チャネルを選択することをさらに備えるＣ３６に記載の方法。
［Ｃ３９］
前記第１又は第２の周波数チャネルを選択することは、
前記第１の周波数チャネルを用いて第１のデータレートでデータを送信することと、
前記第１のデータレートでの前記データの成功裏の送信を示す肯定応答（ＡＣＫ）メッセージの有無をモニタリングすることと、
前記ＡＣＫメッセージを受信できない時点で、前記第２の周波数チャネルを用いて第２のデータレートで前記データを再送信することであって、前記第２のデータレートは、前記第１のデータレートよりも低いことと、を備えるＣ３８に記載の方法。
［Ｃ４０］
前記第１又は第２の周波数チャネルを選択することは、
基地局を起源とする順方向リンクの信号強度を推定することと、
前記順方向リンクの前記推定された信号強度に少なくとも部分的に基づいて前記第１の周波数チャネル又は前記第２の周波数チャネルを選択することと、を備えるＣ３８に記載の方法。
［Ｃ４１］
前記第１又は第２の周波数チャネルを選択することは、
周波数チャネル容量メッセージを受信することであって、前記メッセージは、前記第１の周波数チャネル及び前記第２の周波数チャネルに関する利用可能な容量を示すことと、
前記メッセージによって示された各チャネルの前記利用可能な容量に少なくとも部分的に基づいて前記第１の周波数チャネル又は前記第２の周波数チャネルを選択することと、を備えるＣ３８に記載の方法。
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
前記第１の周波数チャネルに関する第１のライズオーバサーマル（ＲｏＴ）スレショルドを設定することと、
前記第２の周波数チャネルに関する第２のＲｏＴスレショルドを設定することであって、前記第２のＲｏＴスレショルドは、前記第１のＲｏＴスレショルドよりも低いことと、
前記第１の周波数チャネルを用いて前記逆方向リンクで送信するために複数のＭ２Ｍデバイスからの１つ以上のＭ２Ｍデバイスの第１のグループを識別することと、
前記第２の周波数チャネルを用いて前記逆方向リンクで送信するために前記複数のＭ２Ｍデバイスからの１つ以上のＭ２Ｍデバイスの第２のグループを識別することと、
前記第１の周波数チャネルを使用しているＭ２Ｍデバイスの数が減少していると決定した時点で前記第１の周波数チャネルの前記第１のＲｏＴスレショルドを動的に引き下げることと、を備える、方法。
【請求項２】
Ｍ２Ｍデバイスの前記第１のグループ及び第２のグループにチャネル割り当てメッセージをブロードキャストすることをさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項１に記載の方法。
【請求項３】
１つ以上のＭ２Ｍデバイスの前記第１のグループ及び第２のグループを識別することは、
前記複数のＭ２Ｍデバイスから、第１の地理上のエリア内に位置する１つ以上のＭ２Ｍデバイスを識別することと、
前記複数のＭ２Ｍデバイスから、第２の地理上のエリア内に位置する１つ以上のＭ２Ｍデバイスを識別することと、を備える請求項１に記載の方法。
【請求項４】
前記第１のＲｏＴスレショルドを有する前記第１の周波数チャネルに前記第１の地理上のエリア内に位置する前記１つ以上のＭ２Ｍデバイスを割り当てることと、
前記第２のＲｏＴスレショルドを有する前記第２の周波数チャネルに前記第２の地理上のエリア内に位置する前記１つ以上のＭ２Ｍデバイスを割り当てることと、をさらに備え、前記第２の地理上のエリアは、順方向リンクで前記Ｍ２Ｍデバイスと通信中のデバイスからの経路損失が前記第１の地理上のエリアよりも大きい請求項３に記載の方法。
【請求項５】
１つ以上のＭ２Ｍデバイスの前記第１のグループ及び第２のグループを識別することは、
前記複数のＭ２Ｍデバイスから、データレートスレショルドを満たすデータレートで前記逆方向リンクで以前に送信している１つ以上のＭ２Ｍデバイスを識別することと、
前記複数のＭ２Ｍデバイスから、前記データレートスレショルドを満たさないデータレートで前記逆方向リンクで以前に送信している１つ以上のＭ２Ｍデバイスを識別することと、を備える請求項１に記載の方法。
【請求項６】
前記データレートスレショルドを満たすデータレートで前記逆方向リンクで以前に送信している前記１つ以上のＭ２Ｍデバイスを、前記第１のＲｏＴスレショルドを有する前記第１の周波数チャネルに割り当てることと、
前記データレートスレショルドを満たさないデータレートで前記逆方向リンクで以前に送信している前記１つ以上のＭ２Ｍデバイスを、前記第２のＲｏＴスレショルドを有する前記第２の周波数チャネルに割り当てることと、をさらに備える請求項５に記載の方法。
【請求項７】
１つ以上のＭ２Ｍデバイスの前記第１のグループ及び第２のグループを識別することは、
前記複数のＭ２Ｍデバイスの前記Ｍ２Ｍデバイスのうちの１つ以上において受信された順方向リンクの強度を推定することを備える請求項１に記載の方法。
【請求項８】
１つ以上のＭ２Ｍデバイスの前記第１のグループを、前記第１のＲｏＴスレショルドを有する前記第１の周波数チャネルに割り当てることと、
１つ以上のＭ２Ｍデバイスの前記第２のグループを、前記第２のＲｏＴスレショルドを有する前記第２の周波数チャネルに割り当てることと、をさら備え、前記第２のグループにおいて受信された前記順方向リンクの前記推定される強度は、前記第１のグループにおいて受信された前記順方向リンクの前記推定される強度よりも低い請求項７に記載の方法。
【請求項９】
前記第１又は第２の周波数チャネルに関する前記第１又は第２のＲｏＴスレショルドを調整すべきかどうかを決定することをさらに備える請求項１に記載の方法。
【請求項１０】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項９に記載の方法。
【請求項１１】
前記第１の周波数チャネルを使用しているＭ２Ｍデバイスの前記数が増加していると決定した時点で前記第１の周波数チャネルの前記第１のＲｏＴスレショルドを動的に引き上げることをさらに備える請求項１０に記載の方法。
【請求項１２】
前記第１及び第２の周波数チャネルを使用する前記逆方向リンクでの通信のために符号分割多元接続（ＣＤＭＡ）を実装することをさらに備える請求項１に記載の方法。
【請求項１３】
ＲｏＴスレショルドは、周波数チャネルの熱雑音を上回る前記周波数チャネル上の信号干渉の量を表す請求項１に記載の方法。
【請求項１４】
マシン−マシン（Ｍ２Ｍ）無線ワイドエリアネットワーク（ＷＡＮ）における無線通信のために構成された基地局であって、
プロセッサと、
前記プロセッサと電子的通信状態にあるメモリと、
前記メモリ内に格納された命令と、を備え、前記命令は、
前記Ｍ２Ｍ無線ＷＡＮの動作周波数帯域を少なくとも第１の周波数チャネル及び第２の周波数チャネルに分割するために前記プロセッサによって実行可能であり、前記第１及び第２の周波数チャネルは、逆方向リンクでの通信のために使用され、
前記第１の周波数チャネルに関して第１のライズオーバサーマル（ＲｏＴ）スレショルドを設定するために前記プロセッサによって実行可能であり、
前記第２の周波数チャネルに関する第２のＲｏＴスレショルドを設定するために前記プロセッサによって実行可能であり、前記第２のＲｏＴスレショルドは、前記第１のＲｏＴスレショルドよりも低い、
前記第１の周波数チャネルを用いて前記逆方向リンクで送信するために複数のＭ２Ｍデバイスからの１つ以上のＭ２Ｍデバイスの第１のグループを識別するために前記プロセッサによって実行可能であり、
前記第２の周波数チャネルを用いて前記逆方向リンクで送信するために前記複数のＭ２Ｍデバイスからの１つ以上のＭ２Ｍデバイスの第２のグループを識別するために前記プロセッサによって実行可能であり、
前記第１の周波数チャネルを使用しているＭ２Ｍデバイスの数が減少していると決定した時点で前記第１の周波数チャネルの前記第１のＲｏＴスレショルドを動的に引き下げるために前記プロセッサによってさらに実行可能である、基地局。
【請求項１５】
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項１４に記載の基地局。
【請求項１６】
前記命令は、
前記第１又は第２の周波数チャネルに関して前記第１又は第２のＲｏＴスレショルドを調整すべきかどうかを決定するために前記プロセッサによってさらに実行可能である請求項１４に記載の基地局。
【請求項１７】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項１６に記載の基地局。
【請求項１８】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項１７に記載の基地局。
【請求項１９】
前記命令は、
前記第１及び第２の周波数チャネルを使用する前記逆方向リンクでの通信のために符号分割多元接続（ＣＤＭＡ）を実装するために前記プロセッサによってさらに実行可能である請求項１４に記載の基地局。
【請求項２０】
ＲｏＴスレショルドは、周波数チャネルの熱雑音を上回る前記周波数チャネル上の信号干渉の量を表す請求項１４に記載の基地局。
【請求項２１】
マシン−マシン（Ｍ２Ｍ）無線ワイドエリアネットワーク（ＷＡＮ）における無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、逆方向リンクでの通信のために使用される手段と、
前記第１の周波数チャネルに関する第１のライズオーバサーマル（ＲｏＴ）スレショルドを設定するための手段と、
前記第２の周波数チャネルに関する第２のＲｏＴスレショルドを設定するための手段であって、前記第２のＲｏＴスレショルドは、前記第１のＲｏＴスレショルドよりも低い手段と、
前記第１の周波数チャネルを用いて前記逆方向リンクで送信するために複数のＭ２Ｍデバイスからの１つ以上のＭ２Ｍデバイスの第１のグループを識別するための手段と、
前記第２の周波数チャネルを用いて前記逆方向リンクで送信するために前記複数のＭ２Ｍデバイスからの１つ以上のＭ２Ｍデバイスの第２のグループを識別するための手段と、
前記第１の周波数チャネルを使用しているＭ２Ｍデバイスの数が減少していると決定した時点で前記第１の周波数チャネルの前記第１のＲｏＴスレショルドを動的に引き下げるための手段、を備える、装置。
【請求項２２】
Ｍ２Ｍデバイスの前記第１のグループ及び第２のグループにチャネル割り当てメッセージをブロードキャストするための手段をさらに備え、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項２１に記載の装置。
【請求項２３】
前記第１又は第２の周波数チャネルに関する前記第１又は第２のＲｏＴスレショルドを調整すべきかどうかを決定するための手段をさらに備える請求項２１に記載の装置。
【請求項２４】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項２３に記載の装置。
【請求項２５】
前記第１の周波数チャネルを使用しているＭ２Ｍデバイスの前記数が増加していると決定した時点で前記第１の周波数チャネルの前記第１のＲｏＴスレショルドを動的に引き上げるための手段をさらに備える請求項２４に記載の装置。
【請求項２６】
マシン−マシン（Ｍ２Ｍ）無線ワイドエリアネットワーク（ＷＡＮ）における無線通信を管理するためのコンピュータプログラム製品であって、
前記Ｍ２Ｍ無線ＷＡＮの動作周波数帯域を少なくとも第１の周波数チャネル及び第２の周波数チャネルに分割するためにプロセッサによって実行可能な命令であって、前記第１及び第２の周波数チャネルは、逆方向リンクでの通信のために使用される命令、
前記第１の周波数チャネルに関して第１のライズオーバサーマル（ＲｏＴ）スレショルドを設定するために前記プロセッサによって実行可能な命令、
前記第２の周波数チャネルに関する第２のＲｏＴスレショルドを設定するために前記プロセッサによって実行可能な命令であって、前記第２のＲｏＴスレショルドは、前記第１のＲｏＴスレショルドよりも低い命令、
前記第１の周波数チャネルを用いて前記逆方向リンクで送信するために複数のＭ２Ｍデバイスからの１つ以上のＭ２Ｍデバイスの第１のグループを識別するために前記プロセッサによって実行可能な命令、
前記第２の周波数チャネルを用いて前記逆方向リンクで送信するために前記複数のＭ２Ｍデバイスからの１つ以上のＭ２Ｍデバイスの第２のグループを識別するために前記プロセッサによって実行可能な命令、及び
前記第１の周波数チャネルを使用しているＭ２Ｍデバイスの数が減少していると決定した時点で前記第１の周波数チャネルの前記第１のＲｏＴスレショルドを動的に引き下げるために前記プロセッサによってさらに実行可能な命令を格納している非一時的なコンピュータによって読み取り可能な媒体を備える、コンピュータプログラム製品。
【請求項２７】
前記命令は、
Ｍ２Ｍデバイスの前記第１のグループ及び第２のグループにチャネル割り当てメッセージをブロードキャストするために前記プロセッサによってさらに実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる請求項２６に記載のコンピュータプログラム製品。
【請求項２８】
前記命令は、
前記第１又は第２の周波数チャネルに関して前記第１又は第２のＲｏＴスレショルドを調整すべきかどうかを決定するために前記プロセッサによってさらに実行可能である請求項２６に記載のコンピュータプログラム製品。
【請求項２９】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項２８に記載のコンピュータプログラム製品。
【請求項３０】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項２９に記載のコンピュータプログラム製品。
【請求項３１】
マシン−マシン（Ｍ２Ｍ）無線ワイドエリアネットワーク（ＷＡＮ）における逆方向リンクでの無線通信のための方法であって、
前記逆方向リンクでの通信のために使用すべき第１の周波数チャネル及び第２の周波数チャネルを識別することであって、前記第１の周波数チャネルは、第１のライズオーバサーマル（ＲｏＴ）スレショルドを備え、前記第２の周波数チャネルは、第２のＲｏＴスレショルドを備え、前記第２のＲｏＴスレショルドは、前記第１のＲｏＴスレショルドよりも低いことと、
前記第１のＲｏＴスレショルドにおける変化を識別することであって、前記第１のＲｏＴスレショルドは、第１の周波数チャネルを使用しているＭ２Ｍデバイスの数が減少しているときに動的に引き下がることと、
前記第１の周波数チャネル又は前記第２の周波数チャネルを用いて前記逆方向リンクで通信することと、を備える、方法。
【請求項３２】
チャネル割り当てメッセージのブロードキャストを受信することであって、前記メッセージは、前記逆方向リンクでの通信のために前記第１の周波数チャネル又は前記第２の周波数チャネルのいずれを使用すべきかを示すことをさらに備える請求項３１に記載の方法。
【請求項３３】
前記逆方向リンクでの通信のために使用するために前記第１の周波数チャネル又は前記第２の周波数チャネルを選択することをさらに備える請求項３１に記載の方法。
【請求項３４】
前記第１又は第２の周波数チャネルを選択することは、
前記第１の周波数チャネルを用いて第１のデータレートでデータを送信することと、
前記第１のデータレートでの前記データの成功裏の送信を示す肯定応答（ＡＣＫ）メッセージをモニタリングすることと、
前記ＡＣＫメッセージを受信できない時点で、前記第２の周波数チャネルを用いて第２のデータレートで前記データを再送信することであって、前記第２のデータレートは、前記第１のデータレートよりも低いことと、を備える請求項３３に記載の方法。
【請求項３５】
前記第１又は第２の周波数チャネルを選択することは、
基地局を起源とする順方向リンクの信号強度を推定することと、
前記順方向リンクの前記推定された信号強度に少なくとも部分的に基づいて前記第１の周波数チャネル又は前記第２の周波数チャネルを選択することと、を備える請求項３３に記載の方法。
【請求項３６】
前記第１又は第２の周波数チャネルを選択することは、
周波数チャネル容量メッセージを受信することであって、前記周波数チャネル容量メッセージは、前記第１の周波数チャネル及び前記第２の周波数チャネルに関する利用可能な容量を示すことと、
前記周波数チャネル容量メッセージによって示された各チャネルの前記利用可能な容量に少なくとも部分的に基づいて前記第１の周波数チャネル又は前記第２の周波数チャネルを選択することと、を備える請求項３３に記載の方法。
【国際調査報告】
2016508333.tif 000023
2016508333.tif 000024